(57)【要約】  本発明では、（ａ）主要量の潤滑粘度の油と、（ｂ）１種以上の非ホウ酸化ポリアルケニルビススクシンイミド分散剤とを含む船舶用ディーゼルシリンダー潤滑油組成物であって、前記ポリアルケニル置換基が約（１５００）から約（３０００）の数平均分子量を有するポリアルケン基から誘導され、更に前記船舶用ディーゼルシリンダー潤滑油組成物が約（５）から約（１５０）の全塩基価（ＴＢＮ）を有する、前記潤滑油組成物を開示する。更に、本発明では、（ａ）主要量の潤滑粘度の油と、（ｂ）１種以上の環式カーボナート後処理ポリアルケニルビススクシンイミド分散剤とを含む船舶用ディーゼルシリンダー潤滑油組成物であって、前記船舶用ディーゼルシリンダー潤滑油組成物が約（５）から約（１５０）の全塩基価（ＴＢＮ）を有する、前記潤滑油組成物を開示する。【特許請求の範囲】
【請求項１】
船舶用ディーゼルシリンダー潤滑油組成物であって、（ａ）主要量の潤滑粘度のグループＩのベースストック油と、（ｂ）前記船舶用ディーゼルシリンダー潤滑油組成物の全重量に基づいて、活性物質基準で、約１．５から約８．０重量％の量で存在する非ホウ酸化ポリアルケニルビススクシンイミド分散剤とを含み、前記ポリアルケニル置換基が約１５００から約３０００の数平均分子量を有するポリアルケン基から誘導され、更に前記船舶用ディーゼルシリンダー潤滑油組成物が約５から約３０の全塩基価（ＴＢＮ）を有する、前記潤滑油組成物。
【請求項２】
前記数平均分子量が約１５００から約２５００である、請求項１に記載の船舶用ディーゼルシリンダー潤滑油組成物。
【請求項３】
前記ポリアルケン基がポリブテン基である、請求項１に記載の船舶用ディーゼルシリンダー潤滑油組成物。
【請求項４】
酸化防止剤、清浄剤、防錆剤、曇り除去剤、抗乳化剤、金属不活性化剤、摩擦調整剤、流動点降下剤、消泡剤、補助溶媒、腐食防止剤、染料、極圧剤及びそれらの混合物からなる群から選択される１種以上の船舶用ディーゼルシリンダー潤滑油組成物添加剤を更に含む、請求項１に記載の船舶用ディーゼルシリンダー潤滑油組成物。
【請求項５】
非ホウ酸化ポリアルケニルビススクシンイミド分散剤が、環式カーボナート後処理ポリアルケニルビススクシンイミド分散剤である、請求項１に記載の船舶用ディーゼルシリンダー潤滑油組成物。
【請求項６】
船舶用ディーゼルシリンダー潤滑油組成物であって、（ａ）主要量の潤滑粘度のグループＩのベースストック油と、（ｂ）前記船舶用ディーゼルシリンダー潤滑油組成物の全重量に基づいて、活性物質基準で、約１．０から約５．０重量％の量で存在する非ホウ酸化ポリアルケニルビススクシンイミド分散剤とを含み、前記ポリアルケニル置換基が約１５００から約３０００の数平均分子量を有するポリアルケン基から誘導され、更に前記船舶用ディーゼルシリンダー潤滑油組成物が約３０超過の全塩基価（ＴＢＮ）を有する、前記潤滑油組成物。
【請求項７】
前記数平均分子量が約１５００から約２５００である、請求項６に記載の船舶用ディーゼルシリンダー潤滑油組成物。
【請求項８】
前記ポリアルキレン基がポリブテン基である、請求項６に記載の船舶用ディーゼルシリンダー潤滑油組成物。
【請求項９】
酸化防止剤、清浄剤、防錆剤、曇り除去剤、抗乳化剤、金属不活性化剤、摩擦調整剤、流動点降下剤、消泡剤、補助溶媒、腐食防止剤、染料、極圧剤及びそれらの混合物からなる群から選択される１種以上の船舶用ディーゼルシリンダー潤滑油組成物添加剤を更に含む、請求項６に記載の船舶用ディーゼルシリンダー潤滑油組成物。
【請求項１０】
前記非ホウ酸化ポリアルケニルビススクシンイミド分散剤が、環式カーボナート後処理ポリアルケニルビススクシンイミド分散剤である、請求項６に記載の船舶用ディーゼルシリンダー潤滑油組成物。
【請求項１１】
船舶用ディーゼルシリンダー潤滑油組成物であって、（ａ）主要量の潤滑粘度のグループＩＩのベースストック油と、（ｂ）前記船舶用ディーゼルシリンダー潤滑油組成物の全重量に基づいて、活性物質基準で、約１．５から約８．０重量％の量で存在する非ホウ酸化ポリアルケニルビススクシンイミド分散剤とを含み、前記ポリアルケニル置換基が約１５００から約３０００の数平均分子量を有するポリアルケン基から誘導され、更に前記船舶用ディーゼルシリンダー潤滑油組成物が約５から約２０の全塩基価（ＴＢＮ）を有する、前記潤滑油組成物。
【請求項１２】
前記数平均分子量が約１５００から約２５００である、請求項１１に記載の船舶用ディーゼルシリンダー潤滑油組成物。
【請求項１３】
前記ポリアルケン基がポリブテン基である、請求項１１に記載の船舶用ディーゼルシリンダー潤滑油組成物。
【請求項１４】
酸化防止剤、清浄剤、防錆剤、曇り除去剤、抗乳化剤、金属不活性化剤、摩擦調整剤、流動点降下剤、消泡剤、補助溶媒、腐食防止剤、染料、極圧剤及びそれらの混合物からなる群から選択される１種以上の船舶用ディーゼルシリンダー潤滑油組成物添加剤を更に含む、請求項１１に記載の船舶用ディーゼルシリンダー潤滑油組成物。
【請求項１５】
前記非ホウ酸化ポリアルケニルビススクシンイミド分散剤が、環式カーボナート後処理ポリアルケニルビススクシンイミド分散剤である、請求項１１に記載の船舶用ディーゼルシリンダー潤滑油組成物。
【請求項１６】
船舶用ディーゼルシリンダー潤滑油組成物であって、（ａ）主要量の潤滑粘度のグループＩＩのベースストック油と、（ｂ）前記船舶用ディーゼルシリンダー潤滑油組成物の全重量に基づいて、活性物質基準で、約１．０から約５．０重量％の量で存在する非ホウ酸化ポリアルケニルビススクシンイミド分散剤とを含み、前記ポリアルケニル置換基が約１５００から約３０００の数平均分子量を有するポリアルケン基から誘導され、更に前記船舶用ディーゼルシリンダー潤滑油組成物が約２０超過の全塩基価（ＴＢＮ）を有する、前記潤滑油組成物。
【請求項１７】
前記数平均分子量が約１５００から約２５００である、請求項１６に記載の船舶用ディーゼルシリンダー潤滑油組成物。
【請求項１８】
前記ポリアルケン基がポリブテン基である、請求項１６に記載の船舶用ディーゼルシリンダー潤滑油組成物。
【請求項１９】
酸化防止剤、清浄剤、防錆剤、曇り除去剤、抗乳化剤、金属不活性化剤、摩擦調整剤、流動点降下剤、消泡剤、補助溶媒、腐食防止剤、染料、極圧剤及びそれらの混合物からなる群から選択される１種以上の船舶用ディーゼルシリンダー潤滑油組成物添加剤を更に含む、請求項１６に記載の船舶用ディーゼルシリンダー潤滑油組成物。
【請求項２０】
前記ポリアルケニルビススクシンイミド分散剤が、環式カーボナート後処理ポリアルケニルビススクシンイミド分散剤である、請求項１６に記載の船舶用ディーゼルシリンダー潤滑油組成物。
【発明の詳細な説明】
【技術分野】
【０００１】
発明の背景
１．技術分野
本発明は、概して、船舶用ディーゼルシリンダー潤滑油組成物に関し、特に、船舶用２ストローククロスヘッドディーゼルシリンダーエンジンを潤滑するための潤滑油組成物に関する。
【背景技術】
【０００２】
２．関連技術の説明
それ程遠くはない過去に、急激に高騰するエネルギーコスト、特に原油及び液体石油を蒸留する際に生じるコストが、海洋船舶の所有者及び運航者等の輸送燃料のユーザーにとって大きな負担となってきた。それに対応して、それらのユーザーは、蒸気タービン推進ユニットから遠ざかり、燃料効率がより高い大型船舶用ディーゼルエンジンを支持して、それらの運航の舵を取ってきた。ディーゼルエンジンは、一般的に、低速、中速、又は高速エンジンに分類することができ、低速の種類のものは、最大のディープシャフトの船舶及び特定の他の産業用途に使用される。
【０００３】
低速ディーゼルエンジンは、大きさ及び操作方法の点で独特である。当該エンジンそれ自体は大規模であり、より大きなユニットでは、重量は２００トン近くあり、そして長さは１０フィート及び高さは４５フィートを超えることがある。これらのエンジンの出力は、１００，０００ブレーキ馬力にも達することがあり、エンジン回転数は１分当り６０から約２００回転となる。それらは、典型的に、クロスヘッド設計であり、そして２ストロークサイクルで動作する。これらのエンジンは典型的に、残渣燃料で動作するが、残渣を殆ど含有しないか又は全く含有しない留出燃料でも動作することができるものもある。
【０００４】
一方、中速エンジンは、典型的に、約２５０から約１１００ｒｐｍの範囲で動作し、そして４ストローク又は２ストロークサイクルのいずれかで動作することができる。これらのエンジンは、トランクピストン設計であり又は時にはクロスヘッド設計の場合がある。それらは、典型的に、低速ディーゼルエンジンと全く同様に、残渣燃料で動作するが、残渣を殆ど含有しないか又は全く含有しない留出燃料で動作することができるものもある。更に、これらのエンジンは、深海船舶の推進、補助的な用途又はその両方に使用することもまた可能である。
【０００５】
低速及び中速のディーゼルエンジンは、発電所の運転においても広く使用される。２ストロークサイクルで動作する低速又は中速のディーゼルエンジンは、典型的に、クロスヘッド構造の直結及び直接反転エンジンであり、それは、クランクケースからパワーシリンダーを分離する１つ以上のスタッフィングボックス及びダイアフラムを備えており、これにより、燃焼生成物がクランクケースに入ってクランクケース油と混合すること、を防止する。クランクケースを燃焼ゾーンから高度に完全に分離することにより、当業者は、燃焼室とクランクケースを異なる潤滑油を用いて潤滑するようになった。
【０００６】
船舶用途及び重い据置式の用途で使用されるクロスヘッドタイプの大型ディーゼルエンジンでは、シリンダーは、他のエンジン構成要素とは別個に潤滑される。シリンダーは、シリンダーライナーの周りに配置された潤滑装置を用いて各シリンダーのクイルに、シリンダー油が別々に注入されて、全損基準で潤滑される。油は、ポンプを用いて潤滑装置に分配され、現時のエンジン設計では、油の無駄を低減するために油を直接リングに塗布するように動かされる。
【０００７】
これらのエンジンに関連した１つの問題は、エンジンの製造者が、通常、それらを、低硫黄及び低アスファルテン含量の品質の良い高留出燃料から、一般的に高硫黄及びより高アスファルテン含量の船舶用残渣燃料等のより品質の劣った中間又は重質燃料までの範囲の、多様なディーゼル燃料を使用するように設計することである。
【０００８】
これらのエンジンで遭遇する高い応力及び船舶用残渣燃料の使用によって、油が短時間しか、熱及び他の応力に曝されないとしても、高い清浄性、中和能力及び酸化に起因する粘度増加に対するより良好な安定性を有する潤滑剤が必要になる。これらのディーゼルエンジンにおいて通常使用される残渣燃料は、典型的に、有意な量の硫黄を含有し、それは、燃焼行程において、水と結合して硫酸を形成するので、それが存在すると、腐食摩耗が引き起こされる。特に、船舶用の２ストロークエンジンでは、シリンダーライナー及びピストンリング周りの領域は、酸によって腐食され、且つ摩耗される可能性がある。従って、ディーゼルエンジン潤滑油が、このような腐食及び摩耗へ対抗する能力を備えることが重要である。
【０００９】
従って、船舶用ディーゼルシリンダー潤滑剤の主要な機能のひとつは、低速２ストローククロスヘッドディーゼルエンジンで燃焼した高硫黄燃料油の硫黄に起因する酸性成分を中和することである。この中和は、金属清浄剤等の塩基性種を船舶用ディーゼルシリンダー潤滑剤に含ませることによって達成される。不運にも、船舶用ディーゼルシリンダー潤滑剤の塩基度は、（潤滑剤がエンジン中で受ける熱及び酸化応力に起因する）船舶用ディーゼルシリンダー潤滑剤の酸化によって減少する可能性があり、これによって、潤滑剤の中和能力は低下する。従って、酸化安定性は、船舶用シリンダー潤滑剤の重要な性能面のひとつである。船舶用ディーゼルシリンダー潤滑剤が、エンジン動作の間、潤滑剤に存在することが一般的に知られている摩耗金属等の酸化触媒を含有する場合、酸化は促進される可能性がある。
【００１０】
典型的には、船舶用ディーゼルエンジンで使用するための船舶用シリンダー潤滑剤は、１００℃で９．３から２６．１センチストーク（ｃＳｔ）の範囲の粘度を有する。このような潤滑剤を配合するために、ブライトストックを低粘度の油、例えば１００℃で４から６ｃＳｔの粘度を有する油と混合することができる。しかし、ブライトストックの供給量は減少しているので、船舶用シリンダー潤滑剤の粘度を製造者が推奨する１００℃で１６．５から２５ｃＳｔの範囲に上げるためにブライトストックを使用することはできない。加えて、Ｈａｒｔ’ｓ  Ｌｕｂｒｉｃａｎｔ  Ｗｏｒｌｄ、１９９７年９月、２７〜２８頁（参照：欧州特許第１９６７５７１号）には、「船舶用エンジンの低動作速度及び高負荷に起因して、高粘度油（ＳＡＥ４０，５０及び６０）が典型的に必要であると開示されている。水素化分解によってベースストックの粘度は損失するので、船舶用油は、一般的に、水素化分解されたベースストックと配合するだけでなく、有意な量のブライトストックを使用する必要がある場合がある。しかし、ブライトストックの使用は、酸化的に不安定な芳香族化合物が存在するので、望ましくない。
【００１１】
この問題に対する１つの解決策は、ポリイソブチレン等の増粘剤又はオレフィンコポリマー等の粘度指数向上剤化合物を使用して、船舶用シリンダー潤滑剤を増粘させることである。しかし、これらの材料によって、船舶用シリンダー潤滑剤のコストが増加する。別の解決策は、より低粘度の船舶用シリンダー潤滑剤を使用することであるが、低粘度のＭＣＬの摩耗性能は十分には研究されていない。
【００１２】
船舶用シリンダー潤滑剤の別の重要な性能面は、発泡性能である。大量のガスが液体に混入した場合、発泡する。発泡は、浮揚、洗浄及びクリーニング等の特定の用途では望ましいが、発泡により潤滑の効果がなくなるため、発泡が障害となり得る潤滑剤関連用途では望ましくない場合がある。潤滑剤の粘度及び表面張力は、泡の安定性に寄与する。低粘度の油は、大きな気泡を有する泡を生成するが、これは、急速に壊れるので、殆ど問題とならない傾向にある。しかし、船舶用シリンダー潤滑剤として使用される油等の高粘度油は、微細気泡を含有し、壊れ難い安定な泡を生成する。船舶用シリンダー潤滑剤の場合、発泡によって、ピストンリング及びシリンダーライナー表面を分離した状態に保つ潤滑剤の膜に乱れが生じる可能性がある。時間の経過と共に、発泡によって、潤滑剤の酸化分解が加速され、加えて、油の輸送及び圧送能力が影響を受け得る。従って、船舶用シリンダー潤滑剤の場合、発泡仕様は、製品性能に含まれることが多い。
【００１３】
米国特許第６，１０３，６７２号（「’６７２特許」）には、主要量の潤滑粘度の油、並びに少量のａ）ホウ酸化（ｂｏｒａｔｅｄ）分散剤又は油溶性若しくは油分散性ホウ素化合物の少なくとも１種及びｂ）１種以上の過塩基性金属化合物（混合して提供される）を含有し、ポリブテンを含まない船舶用シリンダー潤滑剤が開示されている。更に、’６７２特許には、ポリブテンを含まない船舶用シリンダー潤滑剤について、粘度特性が改善されたことが開示されている。
【００１４】
米国特許第４，９４８，５２２号（「’５２２特許」）には、ホウ酸化無灰分散剤、過塩基性金属化合物及び１００，０００を超える重量平均分子量を有するポリブテンを含有する船舶用ディーゼルシリンダー潤滑剤が開示されている。更に、’５２２特許には、酸化、摩耗及び堆積の増加を示す船舶用ディーゼルシリンダー潤滑剤の提供が開示されている。
【００１５】
米国特許出願公開第２００５／０１５３８４７号には、全塩基価が少なくとも３０であり、（ａ）少なくとも４０質量％の潤滑粘度の油、（ｂ）少なくとも２種の界面活性剤から調製される清浄剤、（ｃ）ホウ素含有分散剤、及び（ｄ）亜鉛含有耐摩耗添加剤を含む船舶用ディーゼルシリンダー潤滑剤組成物が開示されている。
【００１６】
国際公開第２０１１０５１２６１号パンフレットには、船舶用ディーゼルエンジン及び発電用途等の持続的な高負荷条件下で動作される内燃機関に使用され、基油及びスルホナートとフェナート清浄剤の組合せを含む潤滑組成物が開示され、教示されている。国際公開第２０１１０５１２６１号パンフレットに開示されている例では、組成物の１．５重量％の濃度で高分子量のポリイソブテンスクシンイミドを使用している。
【発明の概要】
【発明が解決しようとする課題】
【００１７】
従って、潤滑油組成物に使用されるブライトストックの量を更に低減することができ、酸化安定性及び発泡抑制を有する改善された船舶用ディーゼルシリンダー潤滑油組成物に対する必要性が依然として残っている。
【課題を解決するための手段】
【００１８】
発明の要約
本発明の一実施形態に従い、（ａ）主要量の潤滑粘度の油と、（ｂ）１種以上の非ホウ酸化ポリアルケニルビススクシンイミド分散剤とを含む船舶用ディーゼルシリンダー潤滑油組成物であって、前記ポリアルケニル置換基が約１５００から約３０００の数平均分子量を有するポリアルケン基から誘導され、更に前記船舶用ディーゼルシリンダー潤滑油組成物が約５から約１５０の全塩基価（ＴＢＮ）を有する、船舶用ディーゼルシリンダー潤滑油組成物を提供する。
【００１９】
本発明の第２の実施形態に従い、船舶用２ストローククロスヘッドディーゼルエンジンを、改善された酸化安定性を有する船舶用ディーゼルシリンダー潤滑剤組成物を用いて潤滑する方法であって、前記方法が、前記エンジンを、（ａ）主要量の潤滑粘度の油と、（ｂ）１種以上の非ホウ酸化ポリアルケニルビススクシンイミド分散剤とを含む船舶用ディーゼルシリンダー潤滑油組成物であって、前記ポリアルケニル置換基が約１５００から約３０００の数平均分子量を有するポリアルケン基から誘導され、更に前記船舶用ディーゼルシリンダー潤滑油組成物が約５から約１５０の全塩基価（ＴＢＮ）を有する、船舶用ディーゼルシリンダー潤滑油組成物を用いて動作させることを含む方法を提供する。
【００２０】
本発明の第３の実施形態に従い、２ストローククロスヘッド船舶用ディーゼルエンジンに、改善された酸化安定性を有する船舶用ディーゼルシリンダー潤滑油組成物を提供するために、（ａ）主要量の潤滑粘度の油を含む船舶用ディーゼルシリンダー潤滑油組成物であって、前記船舶用ディーゼルシリンダー潤滑油組成物が約５から約１５０の全塩基価（ＴＢＮ）を有する、前記潤滑油組成物に、１種以上の非ホウ酸化ポリアルケニルビススクシンイミド分散剤であって、前記ポリアルケニル置換基が約１５００から約３０００の数平均分子量を有するポリアルケン基から誘導される、前記分散剤を使用することを提供する。
【００２１】
本発明の第４の実施形態に従い、（ａ）主要量の潤滑粘度の油と、（ｂ）１種以上の環式カーボナートで後処理したポリアルケニルビススクシンイミド分散剤とを含む船舶用ディーゼルシリンダー潤滑油組成物であって、前記船舶用ディーゼルシリンダー潤滑油組成物が約５から約１５０の全塩基価（ＴＢＮ）を有する前記潤滑油組成物を提供する。
【００２２】
本発明の第５の実施形態に従い、船舶用２ストローククロスヘッドディーゼルエンジンを、改善された酸化安定性を有する船舶用ディーゼルシリンダー潤滑剤組成物を用いて潤滑する方法であって、前記方法が、前記エンジンを、（ａ）主要量の潤滑粘度の油と、（ｂ）１種以上の環式カーボナート後処理ポリアルケニルビススクシンイミド分散剤とを含む船舶用ディーゼルシリンダー潤滑油組成物であって、前記船舶用ディーゼルシリンダー潤滑油組成物が約５から約１５０の全塩基価（ＴＢＮ）を有する前記潤滑油組成物を用いて動作させることを含む前記方法を提供する。
【００２３】
本発明の第６の実施形態に従い、２ストローククロスヘッド船舶用ディーゼルエンジンに、改善された酸化安定性を有する船舶用ディーゼルシリンダー潤滑油組成物を提供するために、（ａ）主要量の潤滑粘度の油を含む船舶用ディーゼルシリンダー潤滑油組成物であって、前記船舶用ディーゼルシリンダー潤滑油組成物が約５から約１５０の全塩基価（ＴＢＮ）を有する前記潤滑油組成物に、１種以上の環式カーボナートで後処理したポリアルケニルビススクシンイミド分散剤を使用することを提供する。
【００２４】
本発明は、非ホウ酸化ポリアルケニルビススクシンイミド分散剤であって、前記ポリアルケニル置換基が約１５００から約３０００の数平均分子量を有するポリアルケン基から誘導される、前記分散剤か、又は環式カーボナート後処理ポリアルケニルビススクシンイミド分散剤かのいずれかによって、２ストローククロスヘッド船舶用ディーゼルエンジンにて使用される船舶用ディーゼルシリンダー潤滑油組成物であって、前記船舶用ディーゼルシリンダー潤滑剤が約５から約１５０のＴＢＮを有する、前記組成物の酸化安定性が有利に改善されるという驚くべき発見に基づいている。加えて、非ホウ酸化ポリアルケニルビススクシンイミド分散剤であって、前記ポリアルケニル置換基が約１５００から約３０００の数平均分子量を有するポリアルケン基から誘導される、前記分散剤か、又は環式カーボナート後処理ポリアルケニルビススクシンイミド分散剤かのいずれかによって、約５から約１５０のＴＢＮを有する船舶用ディーゼルシリンダー潤滑油組成物の発泡が更に有利に抑制される。更に、非ホウ酸化ポリアルケニルビススクシンイミド分散剤であって、前記ポリアルケニル置換基が約１５００から約３０００の数平均分子量を有するポリアルケン基から誘導される、前記分散剤か、又は環式カーボナート後処理ポリアルケニルビススクシンイミド分散剤かのいずれかを使用することによって、約５から約１５０のＴＢＮを有する船舶用ディーゼルシリンダー潤滑油組成物を配合する場合に、ブライトストックの量を有利により少なくすることが可能になる。
【発明を実施するための形態】
【００２５】
好ましい実施形態の詳細な説明
定義
【００２６】
本明細書中で使用される「船舶用ディーゼルシリンダー潤滑剤」又は「船舶用ディーゼルシリンダー潤滑油」の用語は、低速又は中速の２ストローククロスヘッド船舶用ディーゼルエンジンのシリンダーを潤滑する際に使用される潤滑剤を意味すると理解されるものとする。船舶用ディーゼルシリンダー潤滑剤は、多数の注入点を通ってシリンダー壁に供給される。船舶用ディーゼルシリンダー潤滑剤は、シリンダーライナーとピストンリングとの間に膜を形成し、且つ部分的に燃焼した燃料残渣を懸濁液中に保持することによって、エンジンの清浄性を促進し、そして例えば燃料中の硫黄化合物の燃焼によって形成される酸を中和することができる。
【００２７】
「船舶用残渣燃料」は、国際標準化機構規格ＩＳＯ  ８２１７：２００５、“Ｐｅｔｒｏｌｅｕｍ  Ｐｒｏｄｕｃｔｓ−Ｆｕｅｌｓ（ｃｌａｓｓ  Ｆ）−Ｓｐｅｃｉｆｉｃａｔｉｏｎｓ  ｏｆ  ｍａｒｉｎｅ  ｆｕｅｌｓ”において定義された船舶用残渣燃料等の、国際標準化機構（ＩＳＯ）１０３７０において定義された少なくとも２．５重量％（例えば、少なくとも５重量％、又は少なくとも８重量％）（燃料の全重量に対して）の炭素残渣、５０℃で１４．０ｃＳｔより高い粘度を有する大型船舶用エンジンにおける可燃性材料を意味し、その内容の全体を本明細書に援用する。
【００２８】
「残渣燃料」は、ＩＳＯ  ８２１７：２０１０国際標準に規定された残渣船舶用燃料の仕様に適合する燃料を意味する。「低硫黄船舶用燃料」は、ＩＳＯ  ８２１７：２０１０の仕様に規定される残渣船舶用燃料の仕様に適合し、加えて、燃料の全重量に対して、約１．５重量％以下、又は更に約０．５％重量％以下の硫黄を有する燃料を意味する。
【００２９】
「留出燃料」は、ＩＳＯ  ８２１７：２０１０国際標準に規定された留出船舶用燃料の仕様に適合する燃料を意味する。「低硫黄留出燃料」は、ＩＳＯ  ８２１７：２０１０国際標準に規定された留出船舶用燃料の仕様に適合し、加えて、燃料の全重量に対して、約０．１重量％以下又は更に約０．００５重量％以下の硫黄を有する燃料を意味する。
【００３０】
当業者によって使用される「ブライトストック」の用語は、溶媒抽出及び／又は脱ろう等の更なる処理後の脱アスファルト石油減圧残渣から誘導される基油又は脱アスファルト石油減圧残渣の直接の生成物である基油を意味する。本発明の目的では、それは、減圧残渣プロセスの脱アスファルト留出物カットもまた意味する。ブライトストックは、一般的に、１００℃で２８から３６ｍｍ２／ｓの動粘度を有する。このようなブライトストックの一例は、ＥＳＳＯ（商標）Ｃｏｒｅ２５００  Ｂａｓｅ  Ｏｉｌである。
【００３１】
アルケニル又はアルキルモノ−、ビススクシンイミド及び他の高級類似体を含む「スクシンイミド」の用語は、一般的に、アルケニル置換コハク酸又は無水物とポリアミンとの反応生成物を意味するものとして受け入れられている。
【００３２】
「ビススクシンイミド」の用語は、主にビススクシンイミドであるスクシンイミド分散剤を表す。主にビススクシンイミドの分散剤には、スクシンイミド分散剤中に存在し得るモノスクシンイミド等の他の化合物と比較して、主要量のビススクシンイミドが含有される。ヒドロカルビル置換コハク酸アシル化剤とアルキレンポリアミンとの反応生成物から、モノスクシンイミド及びビススクシンイミドを含む化合物の混合物を含むスクシンイミド分散剤が得られる。生成されるモノアルケニルスクシンイミド及びビスアルケニルスクシンイミドの量は、アルキレンポリアミン対コハク酸基の装入モル比及び使用される特定のポリアミンに依存し得る。約１：１のアルキレンポリアミン対コハク酸基の装入モル比からは、主にモノ−スクシンイミドの分散剤を得ることができる。約１：２のアルキレンポリアミン対コハク酸基の装入モル比からは、主にビススクシンイミドの分散剤を得ることができる。
【００３３】
「ＩＩ族金属」又は「アルカリ土類金属」の用語は、カルシウム、バリウム、マグネシウム及びストロンチウムを意味する。
【００３４】
「カルシウム塩基」の用語は、水酸化カルシウム、酸化カルシウム、カルシウムアルコキシド等及びそれらの混合物を意味する。
【００３５】
「石灰（ｌｉｍｅ）」の用語は、消石灰（ｓｌａｋｅｄ  ｌｉｍｅ）又は消石灰（ｈｙｄｒａｔｅｄ  ｌｉｍｅ）としても知られる水酸化カルシウムを意味する。
【００３６】
「アルキルフェノール」の用語は、１つ以上のアルキル置換基を有し、そのアルキル置換基の少なくとも１つが、得られるフェナート添加剤に油溶性を付与するのに十分な数の炭素原子を有するフェノール基を意味する。
【００３７】
「全塩基価」又は「ＴＢＮ」の用語は、油サンプル中のアルカリ度のレベルを意味し、これは、ＡＳＴＭ標準番号Ｄ２８９６又は同等の手順に従って、腐食性の酸を中和し続ける組成物の能力を示す。当該試験は、電気伝導率の変化を測定し、そして、その結果を、ｍｇ・ＫＯＨ／ｇ（１グラムの生成物を中和するのに必要なＫＯＨのミリグラム当量数）として表す。従って、高いＴＢＮは、強い過塩基性生成物を表し、そして結果として、酸を中和するためのより高い塩基予備力（ｂａｓｅ  ｒｅｓｅｒｖｅ）を表す。
【００３８】
本明細書で使用される「基油」の用語は、単一の製造者によって（供給源又は製造者の所在地とは無関係に）同じ仕様に製造され；同じ製造者の仕様に適合し；そして独自の配合、製品識別番号、又はその両方によって識別される潤滑剤成分であるベースストック又はベースストックのブレンドを意味すると理解されるものとする。
【００３９】
「活性物質基準で」の用語は、希釈油でも溶媒でもない添加剤材料を意味する。
【００４０】
一実施形態では、（ａ）主要量の潤滑粘度の油と、（ｂ）非ホウ酸化ポリアルケニルビススクシンイミド分散剤とを含む船舶用ディーゼルシリンダー潤滑油組成物であって、前記ポリアルケニル置換基が約１５００から約３０００の数平均分子量を有するポリアルケン基から誘導され、前記船舶用ディーゼルシリンダー潤滑油組成物が約５から約１５０の全塩基価（ＴＢＮ）を有する、船舶用ディーゼルシリンダー潤滑油組成物を提供する。
【００４１】
本発明の船舶用ディーゼルシリンダー潤滑油組成物は、船舶用シリンダー潤滑剤としての使用に適した任意のＴＢＮを有することができる。幾つかの実施形態では、本発明の船舶用ディーゼルシリンダー潤滑油組成物のＴＢＮは、約１５０ｍｇ・ＫＯＨ／ｇ未満である。他の実施形態では、本発明の船舶用ディーゼルシリンダー潤滑油組成物のＴＢＮは、約５から約１５０、又は約５から約１００、又は約５から約７０、又は約５から約３０、又は約５から約２５、又は約１０から約１５０、又は約１０から約７０、又は約１０から約４０、又は約１０から約３０、又は約１５から約１５０、又は約１５から約１００、又は約１５から約７０、又は約１５から約３０、又は約１５から約４０、又は約２０から約１５０、又は約２０から約１００、又は約２０から約７０、又は約２０から約４０、又は約２０から約３０ｍｇＫＯＨ／ｇの範囲を有することができる。
【００４２】
船舶用エンジンの低動作速度及び高負荷に起因して、高粘度油（ＳＡＥ  ４０、５０、及び６０）が典型的に必要となる。本発明の船舶用ディーゼルシリンダー潤滑油組成物は、１００℃で約１２．５から約２６．１ｃＳｔ、又は約１２．５から約２１．９、又は約１６．３から約２１．９ｃＳｔの範囲の動粘度を有することができる。船舶用ディーゼルシリンダー潤滑油組成物の動粘度は、ＡＳＴＭ  Ｄ４４５によって測定される。
【００４３】
本発明の船舶用ディーゼルシリンダー潤滑油組成物は、船舶用ディーゼルシリンダー潤滑油組成物を製造するための当業者に既知の任意の方法によって調製することができる。成分は、任意の順序で且つ任意の方法で添加することができる。任意の適切な混合又は分散装置を、成分をブレンド、混合又は可溶化するために使用することができる。ブレンド、混合又は可溶化は、ブレンダー、撹拌器、分散機、ミキサー（例えば、プラネタリーミキサー及びダブルプラネタリーミキサー）、ホモジナイザー（例えば、ゴーリン（Ｇａｕｌｉｎ）ホモジナイザー若しくはラニー（Ｒａｎｎｉｅ）ホモジナイザー）、ミル（例えば、コロイドミル、ボールミル若しくはサンドミル）又は当該技術分野で既知の任意の他の混合若しくは分散装置を用いて実施することができる。
【００４４】
本発明の船舶用ディーゼルシリンダー潤滑剤組成物には、主要量の潤滑粘度の油が含まれる。「主要量」とは、船舶用ディーゼルシリンダー潤滑剤組成物が、船舶用ディーゼルシリンダー潤滑油組成物の全重量に基づいて、少なくとも約４０重量％、又は少なくとも約５０重量％、又は少なくとも約６０重量％、特に少なくとも約７０重量％の、以下に記載するような潤滑粘度の油を好適に含むことを意味する。一実施形態では、潤滑粘度の油は、船舶用ディーゼルシリンダー潤滑剤組成物の全重量に基づいて、７０重量％から約９５重量％の量で存在する。一実施形態では、潤滑粘度の油は、船舶用ディーゼルシリンダー潤滑剤組成物の全重量に基づいて、７０重量％から約８５重量％の量で存在する。
【００４５】
潤滑粘度の油は、例えばクロスヘッドエンジンを含む大型ディーゼルエンジンの潤滑に適した任意の油であることができる。潤滑粘度の油は、天然潤滑油、合成潤滑油又はそれらの混合物から誘導された基油であることができる。好適な基油には、合成ろう及びスラックワックスの異性化によって得られるベースストック、並びに原油の芳香族成分及び極性成分の水素化分解（溶媒抽出ではなく）によって生成される水素化分解基油が含まれる。
【００４６】
好適な天然油には、例えば、液体石油等の鉱物潤滑油、パラフィン系、ナフテン系又は混合パラフィン系ナフテン系の溶媒処理又は酸処理した鉱物潤滑油、石炭又はシェール由来の油、動物油、植物油（例えば、ナタネ油、ヒマシ油及びラード油）等が含まれる。
【００４７】
好適な合成潤滑油には、非限定的に、炭化水素油及びハロ置換炭化水素油、例えばポリマー化及びインターポリマー化オレフィン、例えばポリブチレン、ポリプロピレン、プロピレン−イソブチレンコポリマー、塩素化ポリブチレン、ポリ（１−ヘキセン）、ポリ（１−オクテン）、ポリ（１−デセン）等及びそれらの混合物；アルキルベンゼン、例えばドデシルベンゼン、テトラデシルベンゼン、ジノニルベンゼン、ジ（２−エチルヘキシル）−ベンゼン等；ポリフェニル、例えばビフェニル、ターフェニル、アルキル化ポリフェニル等；アルキル化ジフェニルエーテル及びアルキル化ジフェニルスルフィド並びにその誘導体、類似体及び同族体等が含まれる。
【００４８】
他の合成潤滑油には、非限定的に、エチレン、プロピレン、ブチレン、イソブテン、ペンテン、及びそれらの混合物等の５個未満の炭素原子のオレフィンを重合することによって作られる油が含まれる。このようなポリマー油を調製する方法は、当業者に周知である。
【００４９】
追加的な合成炭化水素油には、適切な粘度を有するアルファオレフィンの液体ポリマーが含まれる。特に有用な合成炭化水素油は、Ｃ６からＣ１２アルファオレフィン、例えば１−デセン三量体等の水素化液体オリゴマーである。
【００５０】
合成潤滑油の別の種類には、非限定的に、アルキレンオキシドポリマー、即ち、末端ヒドロキシル基が例えばエステル化又はエーテル化によって修飾されているホモポリマー、インターポリマー及びそれらの誘導体が含まれる。これらの油の例には、エチレンオキシド又はプロピレンオキシドの重合によって調製される油、これらのポリオキシアルキレンポリマーのアルキル及びフェニルエーテル（例えば、平均分子量が１，０００のメチルポリプロピレングリコールエーテル、分子量が５００から１，０００のポリエチレングリコールのジフェニルエーテル、分子量が１，０００から１，５００のポリプロピレングリコールのジエチルエーテル等）又はそれらのモノ及びポリカルボン酸エステル、例えば、酢酸エステル、混合Ｃ３からＣ８脂肪酸エステル、若しくはテトラエチレングリコールのＣ１３オキソ酸ジエステル等が挙げられる。
【００５１】
合成潤滑油の更に別の種類には、非限定的に、ジカルボン酸、例えばフタル酸、コハク酸、アルキルコハク酸、アルケニルコハク酸、マレイン酸、アゼライン酸、スベリン酸、セバシン酸、フマル酸、アジピン酸、リノール酸二量体、マロン酸、アルキルマロン酸、アルケニルマロン酸等と、種々のアルコール、例えばブチルアルコール、ヘキシルアルコール、ドデシルアルコール、２−エチルヘキシルアルコール、エチレングリコール、ジエチレングリコールモノエーテル、プロピレングリコール等とのエステルが含まれる。これらのエステルの特定の例には、アジピン酸ジブチル、セバシン酸ジ（２−エチルヘキシル）、フマル酸ジ−ｎ−ヘキシル、セバシン酸ジオクチル、アゼライン酸ジイソオクチル、アゼライン酸ジイソデシル、フタル酸ジオクチル、フタル酸ジデシル、セバシン酸ジエイコシル、リノール酸二量体の２−エチルヘキシルジエステル、１モルのセバシン酸と２モルのテトラエチレングリコール及び２モルの２−エチルヘキサン酸等との反応により形成される複合エステルが含まれる。
【００５２】
合成油として有用なエステルには、非限定的に、約５から約１２個の炭素原子を有するカルボン酸と、アルコール、例えばメタノール、エタノール等、ポリオール及びポリオールエーテル、例えばネオペンチルグリコール、トリメチロールプロパン、ペンタエリスリトール、ジペンタエリスリトール、トリペンタエリスリトール等とから作られたものが含まれる。
【００５３】
ケイ素系油、例えばポリアルキル−、ポリアリール−、ポリアルコキシ−又はポリアリールオキシ−シロキサン油及びシリケート油等には、別の有用な種類の合成潤滑油が含まれる。これらの具体的な例には、非限定的に、ケイ酸テトラエチル、ケイ酸テトライソプロピル、ケイ酸テトラ−（２−エチルヘキシル）、ケイ酸テトラ−（４−メチル−ヘキシル）、ケイ酸テトラ−（ｐ−ｔｅｒｔ−ブチルフェニル）、ヘキシル−（４−メチル−２−ペントキシ）ジシロキサン、ポリ（メチル）シロキサン、ポリ（メチルフェニル）シロキサン等が挙げられる。更に他の有用な合成潤滑油には、非限定的に、リン含有酸の液体エステル、例えばリン酸トリクレジル、リン酸トリオクチル、デカンホスホン酸（ｐｈｏｓｐｈｉｏｎｉｃ  ａｃｉｄ）のジエチルエステル等、ポリマー性テトラヒドロフラン等が含まれる。
【００５４】
潤滑粘度の油は、天然又は合成の未精製、精製及び再精製された油、又は上記の種類の任意の２つ以上の混合物から誘導することができる。未精製油は、天然又は合成の供給源（例えば、石炭、シェール、又はタールサンドビチューメン）から更に精製又は処理することなく直接得られるものである。未精製油の例には、非限定的に、レトルト操作から直接得られるシェール油、蒸留から直接得られる石油又はエステル化プロセスから直接得られるエステル油が含まれ、これらはそれぞれ、その後、更なる処理をすることなく使用される。精製油は、１つ以上の特性を改善するために１つ以上の精製工程で更に処理されていることを除いて、未精製油と類似している。これらの精製技術は、当業者に既知であり、これには、例えば、溶媒抽出、二次蒸留、酸又は塩基抽出、濾過、パーコレーション、水素化精製、脱ろう等が含まれる。再精製油は、精製油を得るのに使用したプロセスに類似したプロセスで、使用済み油を処理することによって得られる。このような再精製油は、再生又は再処理された油としても知られており、しばしば、使用済み添加剤及び油分解生成物の除去を目指す技術によって追加的に処理される。
【００５５】
更に、ろうの水素化異性化から誘導された潤滑油ベースストックは、単独で、又は前記天然及び／又は合成ベースストックとの組合せで使用することができる。このようなろう異性化油は、水素化異性化触媒上での天然又は合成ろう又はその混合物の水素化異性化によって生成される。
【００５６】
天然ろうは、典型的に、鉱油の溶媒脱ろうによって回収されたスラックワックスである。合成ろうは、典型的に、フィッシャー・トロプシュ法により生成されたろうである。
【００５７】
一実施形態では、潤滑粘度の油は、グループＩのベースストックである。一般に、ここで使用するためのグループＩのベースストックは、ＡＰＩ刊行物１５０９、第１６版、補遺Ｉ、２００９年１０月に定義されている潤滑粘度の石油誘導基油とすることができる。ＡＰＩガイドラインには、多様な異なるプロセスを使用して製造することができる潤滑剤成分としてベースストックが定義されている。グループＩの基油は、一般的に、飽和分含量が９０重量％未満（ＡＳＴＭ  Ｄ２００７により定量）及び／又は全硫黄含量が３００ｐｐｍ超過（ＡＳＴＭ  Ｄ２６２２、ＡＳＴＭ  Ｄ４２９４、ＡＳＴＭ  Ｄ４２９７又はＡＳＴＭ  Ｄ３１２０により定量）、そして、粘度指数（ＶＩ）が８０以上且つ１２０未満（ＡＳＴＭ  Ｄ２２７０により定量）である石油誘導潤滑基油を意味する。
【００５８】
グループＩの基油には、減圧蒸留カラムからの軽質オーバーヘッドカット及びより重質のサイドカットを含ませることができ、更に、例えば、軽質ニュートラル、中質ニュートラル及び重質ニュートラルのベースストックを含ませることができる。更に、石油誘導基油には、例えば、ブライトストック等の残渣ストック又はボトム留分を含ませることができる。ブライトストックは、従来から残留ストック又はボトムから製造され、高度に精製且つ脱ろうされてきた高粘度基油である。ブライトストックは、４０℃で約１８０ｃＳｔ超過、又は４０℃で約２５０ｃＳｔ超過、又は４０℃で約５００から約１１００ｃＳｔの範囲の動粘度を有することができる。
【００５９】
一実施形態では、１種以上のベースストックは、異なる分子量及び粘度を有する２種以上、３種以上、又は更に４種以上のグループＩのベースストックのブレンド又は混合物とすることができ、この場合、当該ブレンドは、船舶用ディーゼルエンジンで使用するための適切な特性（上で議論した粘度及びＴＢＮ値等）を有する基油を作るのに適切な方法で加工処理される。一実施形態では、１種以上のベースストックには、ＥｘｘｏｎＭｏｂｉｌ  ＣＯＲＥ（登録商標）１００、ＥｘｘｏｎＭｏｂｉｌ  ＣＯＲＥ（登録商標）１５０、ＥｘｘｏｎＭｏｂｉｌ  ＣＯＲＥ（登録商標）６００、ＥｘｘｏｎＭｏｂｉｌ  ＣＯＲＥ（登録商標）２５００又はそれらの組合せ又は混合物が含まれる。
【００６０】
別の実施形態では、潤滑粘度の油は、ＡＰＩ刊行物１５０９、第１６版、補遺Ｉ、２００９年１０月に定義されているグループＩＩのベースストックとすることができる。グループＩＩのベースストックは、一般的に、全硫黄含量が３００ｐｐｍ（ｐａｒｔｓ  ｐｅｒ  ｍｉｌｌｉｏｎ）以下（ＡＳＴＭ  Ｄ２６２２、ＡＳＴＭ  Ｄ４２９４、ＡＳＴＭ  Ｄ４２９７又はＡＳＴＭ  Ｄ３１２０により定量）、飽和分含量が９０重量％以上（ＡＳＴＭ  Ｄ２００７により定量）及び粘度指数（ＶＩ）が８０から１２０（ＡＳＴＭ  Ｄ２２７０により定量）である石油誘導潤滑基油を意味する。
【００６１】
別の実施形態では、潤滑粘度の油は、ＡＰＩ刊行物１５０９、第１６版、補遺Ｉ、２００９年１０月に定義されているグループＩＩＩのベースストックとすることができる。グループＩＩＩのベースストックは、一般的に、全硫黄含量が０．０３重量％以下（ＡＳＴＭ  Ｄ２２７０により定量）、飽和分含量が９０重量％以上（ＡＳＴＭ  Ｄ２００７により定量）、及び粘度指数（ＶＩ）が１２０以上（ＡＳＴＭ  Ｄ４２９４、ＡＳＴＭ  Ｄ４２９７又はＡＳＴＭ  Ｄ３１２０により定量）である。一実施形態では、当該ベースストックは、グループＩＩＩのベースストック、又は２種以上の異なるグループＩＩＩのベースストックのブレンドである。
【００６２】
一般に、石油系油から誘導されるグループＩＩＩのベースストックは、高度に水素化処理された鉱油である。水素化処理には、水素を処理すべきベースストックと反応させて、炭化水素からヘテロ原子を除去し、オレフィン及び芳香族化合物をそれぞれアルカン及びシクロパラフィンに還元すること、そして、非常に高度な水素化処理では、ナフテン系環状構造を非環式ノルマル及びイソアルカン（「パラフィン類」）に開環することが含まれる。一実施形態では、グループＩＩＩのベースストックは、少なくとも約７０％のパラフィン系炭素含量（％Ｃｐ）を有し、それは、試験方法ＡＳＴＭ  Ｄ３２３８−９５（２００５），“Ｓｔａｎｄａｒｄ  Ｔｅｓｔ  Ｍｅｔｈｏｄ  ｆｏｒ  Ｃａｌｃｕｌａｔｉｏｎ  ｏｆ  Ｃａｒｂｏｎ  Ｄｉｓｔｒｉｂｕｔｉｏｎ  ａｎｄ  Ｓｔｒｕｃｔｕｒａｌ  Ｇｒｏｕｐ  Ａｎａｌｙｓｉｓ  ｏｆ  Ｐｅｔｒｏｌｅｕｍ  Ｏｉｌｓ  ｂｙ  ｔｈｅ  ｎ−ｄ−Ｍ  Ｍｅｔｈｏｄ”により定量される。別の実施形態では、グループＩＩＩのベースストックは、少なくとも約７２％のパラフィン系炭素含量（％Ｃｐ）を有する。別の実施形態では、グループＩＩＩのベースストックは、少なくとも約７５％のパラフィン系炭素含量（％Ｃｐ）を有する。別の実施形態では、グループＩＩＩのベースストックは、少なくとも約７８％のパラフィン系炭素含量（％Ｃｐ）を有する。別の実施形態では、グループＩＩＩのベースストックは、少なくとも約８０％のパラフィン系炭素含量（％Ｃｐ）を有する。別の実施形態では、グループＩＩＩのベースストックは、少なくとも約８５％のパラフィン系炭素含量（％Ｃｐ）を有する。
【００６３】
別の実施形態では、グループＩＩＩのベースストックは、約２５％以下のナフテン系炭素含量（％Ｃｎ）を有し、それは、ＡＳＴＭ  Ｄ３２３８−９５（２００５）により定量される。別の実施形態では、グループＩＩＩのベースストックは、約２０％以下のナフテン系炭素含量（％Ｃｎ）を有する。別の実施形態では、グループＩＩＩのベースストックは、約１５％以下のナフテン系炭素含量（％Ｃｎ）を有する。別の実施形態では、グループＩＩＩのベースストックは、約１０％以下のナフテン系炭素含量（％Ｃｎ）を有する。
【００６４】
グループＩＩＩのベースストックの多くが市販されており、例えば、Ｃｈｅｖｒｏｎ  ＵＣＢＯベースストック；Ｙｕｋｏｎｇ  Ｙｕｂａｓｅベースストック；Ｓｈｅｌｌ  ＸＨＶＩ（登録商標）ベースストック；及びＥｘｘｏｎＭｏｂｉｌ  Ｅｘｘｓｙｎ（登録商標）ベースストックである。
【００６５】
一実施形態では、ここで使用するためのグループＩＩＩのベースストックは、フィッシャー・トロプシュ誘導基油である。「フィッシャー・トロプシュ誘導」の用語は、生成物、留分、又はフィードが、フィッシャー・トロプシュプロセスから生じるか、又はフィッシャー・トロプシュプロセスによってある段階で生成されることを意味する。例えば、フィッシャー・トロプシュ基油は、フィードがフィッシャー・トロプシュ合成から回収されるろう状のフィードであるプロセスから製造することができ、例えば、米国特許出願公開第２００４／０１５９５８２号；第２００５／００７７２０８号；第２００５／０１３３４０７号；第２００５／０１３３４０９号；第２００５／０１３９５１３号；第２００５／０１３９５１４号；第２００５／０２４１９９０号；第２００５／０２６１１４５号；第２００５／０２６１１４６号；第２００５／０２６１１４７号；第２００６／００１６７２１号；第２００６／００１６７２４号；第２００６／００７６２６７号；第２００６／０１３２１０号；第２００６／０２０１８５１号；第２００６／０２０１８５号及び第２００６／０２８９３３７号；米国特許第７，０１８，５２５号及び第７，０８３，７１３号並びに米国出願番号第１１／４００５７０号；第１１／５３５１６５号及び第１１／６１３９３６号が参照され、それらの各々を本明細書に参照により援用する。一般に、当該プロセスには、パラフィンを選択的に異性化することができる触媒又は二元機能触媒を利用する、完全な又は部分的な水素化異性化脱ろう工程が含まれる。水素化異性化脱ろうは、ろう状のフィードを、異性化ゾーンで水素化異性化条件下にて水素化異性化触媒と接触させることによって達成される。
【００６６】
フィッシャー・トロプシュ合成の生成物は、例えば、商業的なＳＡＳＯＬ（登録商標）Ｓｌｕｒｒｙ  Ｐｈａｓｅ  Ｆｉｓｃｈｅｒ−Ｔｒｏｐｓｃｈ技術、商業的なＳＨＥＬＬ（登録商標）Ｍｉｄｄｌｅ  Ｄｉｓｔｉｌｌａｔｅ  Ｓｙｎｔｈｅｓｉｓ（ＳＭＤＳ）プロセス等の周知のプロセス、又は非商業的なＥＸＸＯＮ（登録商標）Ａｄｖａｎｃｅｄ  Ｇａｓ  Ｃｏｎｖｅｒｓｉｏｎ（ＡＧＣ−２１）プロセスによって得ることができる。これらのプロセス及びその他の詳細は、例えば、国際公開第９９３４９１７号；国際公開第９９２０７２０号；国際公開第０５１０７９３５号；欧州特許出願公開第７７６９５９；欧州特許出願公開第６６８３４２号；米国特許第４，９４３，６７２号，第５，０５９，２９９号；第５，７３３，８３９号；及び米国再発行特許第３９０７３号；及び米国特許出願公開第２００５／０２２７８６６号に記載されている。フィッシャー・トロプシュ合成の生成物は、１から約１００個の炭素原子、場合によっては１００個より多い炭素原子を有する炭化水素を含有することができ、典型的にはパラフィン、オレフィン及び含酸素生成物が含まれる。
【００６７】
別の実施形態では、潤滑粘度の油は、ＡＰＩ刊行物１５０９、第１６版、補遺Ｉ、２００９年１０月に定義されているグループＩＶのベースストックとすることができる。グループＩＶのベースストック、即ちポリアルファオレフィン（ＰＡＯ）は、典型的に、低分子量のアルファオレフィン、例えば少なくとも６個の炭素原子を含有するアルファオレフィンをオリゴマー化することによって作られる。一実施形態では、アルファオレフィンは、１０個の炭素原子を含有するアルファオレフィンである。ＰＡＯは、二量体、三量体、四量体等の混合物であり、所望の最終的なベースストックの粘度に応じて正確に混合される。ＰＡＯは、典型的に、オリゴマー化後に水素化されて、残りの不飽和物を除去する。
【００６８】
グループＶの基油には、グループＩ、グループＩＩ、グループＩＩＩ、又はグループＩＶに含まれない全ての他の基油が含まれる。
【００６９】
上記のように、船舶用ディーゼルエンジンで使用するための船舶用シリンダー潤滑剤は、典型的に１００℃で９．３から２６．１ｃＳｔの範囲の動粘度を有する。このような潤滑剤を配合するために、ブライトストックを低粘度油、例えば１００℃で４から６ｃＳｔの粘度を有する油と組合せることができる。しかし、ブライトストックの供給は次第に減少しているので、船舶用シリンダー潤滑剤の粘度を製造者が推奨する所望の範囲に高めるために、ブライトストックに頼ることはできない。この問題への１つの解決策は、船舶用シリンダー潤滑剤を高粘度にするために、ポリイソブチレン（ＰＩＢ）等の増粘剤又はオレフィンコポリマー等の粘度指数向上剤化合物を使用することである。ＰＩＢは、幾つかの製造者から市販されている材料である。ＰＩＢは、典型的に、約１，０００から約８，０００、又は約１，５００から約６，０００の範囲の重量平均分子量、及び、約２，０００から約５，０００又は約６，０００ｃＳ（１００℃）の範囲の粘度を有する粘性の油混和性液体である。船舶用シリンダー潤滑剤に添加されるＰＩＢの量は、通常、最終的な油の約１から約２０重量％、又は最終的な油の約２から約１５重量％、又は最終的な油の約４から約１２重量％であろう。
【００７０】
一実施形態では、本発明の船舶用ディーゼルシリンダー潤滑油組成物には、１種以上の非ホウ酸化ポリアルケニルビススクシンイミド分散剤であって、前記ポリアルケニル置換基が約１５００から約３０００の数平均分子量を有するポリアルケン基から誘導される、分散剤が更に含まれる。一般に、ビススクシンイミドは、ポリアルケニル置換コハク酸又は無水物と、１種以上のポリアミン反応物との間の反応からの完成した反応生成物であり、その生成物が、第１級アミノ基と無水物部分との反応から得られるタイプのイミド結合に加えて、アミド、アミジン、及び／又は塩結合を有する場合がある化合物を包含することを意図する。ビススクシンイミド分散剤は、当該分野で周知の方法に従って調製され、例えば、特定の基本的なタイプのスクシンイミド及び当該技術分野における「スクシンイミド」の用語に包含される関連物質は、例えば、米国特許第２，９９２，７０８号；３，０１８，２９１；３，０２４，２３７；３，１００，６７３；３，２１９，６６６；３，１７２，８９２；及び３，２７２，７４６に教示されており、その内容を、参照により本明細書に援用する。
【００７１】
一実施形態では、１種類以上の非ホウ酸化ポリアルケニルビススクシンイミド分散剤は、式Ｉのポリアルケニル置換無水コハク酸をポリアミンと反応させることによって得ることができる。
【化１】
2018521190.tif 000002
式中、Ｒは、数平均分子量が約１５００から約３０００のポリアルケン基から誘導されるポリアルケニル置換基である。一実施形態では、Ｒは、約１５００から約２５００の数平均分子量を有するポリアルケン基から誘導されるポリアルケニル置換基である。一実施形態では、Ｒは、約１５００から約３０００の数平均分子量を有するポリブテンから誘導されるポリブテニル置換基である。別の実施形態では、Ｒは、約１５００から約２５００の数平均分子量を有するポリブテンから誘導されるポリブテニル置換基である。
【００７２】
式Ｉのポリアルケニル無水コハク酸は、例えばＳｉｇｍａ  Ａｌｄｒｉｃｈ  Ｃｏｒｐｏｒａｔｉｏｎ（米国、ミズーリ州、セントルイス）等の供給源から市販されているか、又は当該技術分野で周知の任意の方法によって調製することができる。例えば、ポリオレフィンと無水マレイン酸との反応によるポリアルケニル置換無水コハク酸の調製は、例えば、米国特許第３，０１８，２５０号及び第３，０２４，１９５号に記載されている。このような方法には、ポリオレフィンと無水マレイン酸との熱反応、及びハロゲン化ポリオレフィン、例えば塩素化ポリオレフィンと無水マレイン酸との反応が含まれる。ポリアルケニル置換無水コハク酸の還元によって、対応するアルキル誘導体が得られる。あるいは、ポリアルケニル置換無水コハク酸は、例えば、米国特許第４，３８８，４７１号及び第４，４５０，２８１号に記載されているように調製することができ、その内容を参照により本明細書に援用する。
【００７３】
ポリアルケニル置換基の大きさは、約１５００から約３０００の数平均分子量を有するポリアルケン基から誘導されるものが有利である。一実施形態では、ポリアルケニル置換基の大きさは、約１５００から約２５００の数平均分子量を有するポリアルケン基から誘導されるものが有利である。別の実施形態では、ポリアルケニル置換基の大きさは、約２３００の数平均分子量を有するポリアルケン基から誘導されるものが有利である。
【００７４】
無水マレイン酸等や無水コハク酸との反応のための約１５００から約３０００の数平均分子量を有するポリアルケン基は、主要量のＣ２からＣ５モノオレフィン、例えばエチレン、プロピレン、ブチレン、イソブチレン及びペンテンを含むポリマーである。ポリマーは、ポリイソブチレン等のホモポリマー、並びにエチレンとプロピレン、ブチレン及びイソブチレン等とのコポリマー等の２種以上のこのようなオレフィンのコポリマーとすることができる。他のコポリマーには、少量（例えば１から２０モルパーセント）のコポリマーモノマーが、Ｃ４からＣ８非共役ジオレフィン、例えば、イソブチレンとブタジエンとのコポリマー又はエチレン、プロピレン及び１，４−ヘキサジエンのコポリマー等であるものが含まれる。
【００７５】
約１５００から約３０００の数平均分子量を有する特に好ましいクラスのポリアルケン基には、１−ブテン、２−ブテン及びイソブテンの１種以上の重合によって調製されるポリブテンが含まれる。実質的な割合の、イソブテンから誘導される単位を含有するポリブテンが特に望ましい。ポリブテンは、少量のブタジエンを含有することができ、それは、当該ポリマー中に結合していても、結合していなくてもよい。ほとんどの場合、イソブテン単位は、ポリマー中の単位の約８０％、又は少なくとも約９０％を構成する。これらのポリブテンは、当業者に周知の容易に入手可能な市販の材料であり、例えば、米国特許第３，２１５，７０７号；第３，２３１，５８７号；第３，５１５，６６９号；第３，５７９，４５０号、及び第３，９１２，７６４号に記載されているものであり、それらの内容は参照により本明細書に援用する。
【００７６】
非ホウ酸化ビススクシンイミド分散剤の調製に使用するのに好適なポリアミンには、ポリアルキレンポリアミンが含まれる。このようなポリアルキレンポリアミンは、典型的に、約２から約１２個の窒素原子及び約２から２４個の炭素原子を含む。特に好適なポリアルキレンポリアミンは、式：Ｈ２Ｎ−（Ｒ１ＮＨ）ｃＨ（式中、Ｒ１は２又は３個の炭素原子を有する直鎖又は分枝鎖アルキレン基であり、ｃは１から９である。）で表されるものである。好適なポリアルキレンポリアミンの代表例には、エチレンジアミン、ジエチレントリアミン、トリエチレンテトラアミン、テトラエチレンペンタミン及びこれらの混合物が含まれる。最も好ましくは、ポリアルキレンポリアミンはテトラエチレンペンタミンである。
【００７７】
本発明で使用するのに好適なポリアミンの多くは、市販されており、他のものは、当該技術分野で周知の方法によって調製することができる。例えば、アミンを調製する方法及びそれらの反応は、Ｓｉｄｇｅｗｉｃｋの「Ｔｈｅ  Ｏｒｇａｎｉｃ  Ｃｈｅｍｉｓｔｒｙ  ｏｆ  Ｎｉｔｒｏｇｅｎ」、Ｃｌａｒｅｎｄｏｎ  Ｐｒｅｓｓ、Ｏｘｆｏｒｄ、１９６６；Ｎｏｌｌｅｒの「Ｃｈｅｍｉｓｔｒｙ  ｏｆ  Ｏｒｇａｎｉｃ  Ｃｏｍｐｏｕｎｄｓ」、Ｓａｕｎｄｅｒｓ、Ｐｈｉｌａｄｅｌｐｈｉａ、第２版、１９５７年；及びＫｉｒｋ−Ｏｔｈｍｅｒの「Ｅｎｃｙｃｌｏｐｅｄｉａ  ｏｆ  Ｃｈｅｍｉｃａｌ  Ｔｅｃｈｎｏｌｏｇｙ」第２版、特に第２巻、９９頁１６行に詳述されている。
【００７８】
好適なポリアミンの例には、テトラエチレンペンタミン、ペンタエチレンヘキサミン、及び重質ポリアミン（ｈｅａｖｙｐｏｌｙａｍｉｎｅ）（例えば、ミシガン州ミッドランドのＤｏｗ  Ｃｈｅｍｉｃａｌ  Ｃｏｍｐａｎｙから入手可能なＤｏｗ  ＨＰＡ−Ｘ  数平均分子量２７５）が含まれる。このようなアミンは、分枝鎖ポリアミン、及びヒドロカルビル置換ポリアミンを含む、先に言及した置換ポリアミン等の異性体を包含する。ＨＰＡ−Ｘ重質ポリアミン（「ＨＰＡ−Ｘ」）には、１分子当たり平均約６．５個のアミン窒素原子が含有される。このような重質ポリアミンは、一般的に優れた結果をもたらす。
【００７９】
一般的に、式Ｉのポリアルケニル置換無水コハク酸は、ポリアミンと約１３０℃から約２２０℃、好ましくは約１４５℃から約１７５℃の温度で反応する。この反応は、窒素又はアルゴン等の不活性雰囲気下で行うことができる。この反応に利用される式Ｉの無水物の量は、反応混合物の全重量に基づいて、約３０から約９５重量％、好ましくは約４０から約６０重量％の範囲であることができる。
【００８０】
一般的に、本発明の船舶用ディーゼルシリンダー潤滑油組成物における、１種以上の非ホウ酸化ポリアルケニルビススクシンイミド分散剤であって、前記ポリアルケニル置換基が約１５００から約３０００の数平均分子量を有するポリアルケン基から誘導される、分散剤の濃度は、船舶用ディーゼルシリンダー潤滑油組成物の全重量に基づいて、活性物質基準で、約０．２５重量％超過、又は約０．５重量％超過、又は約１．０重量％超過、又は約１．２重量％超過、又は約１．５重量％超過、又は約１．８重量％超過、又は約２．０重量％超過、又は約２．５重量％超過、又は約２．８重量％超過である。別の実施形態では、本発明の船舶用ディーゼルシリンダー潤滑油組成物における、１種以上の非ホウ酸化ポリアルケニルビススクシンイミド分散剤であって、前記ポリアルケニル置換基が約１５００から約３０００の数平均分子量を有するポリアルケン基から誘導される、分散剤の量は、船舶用ディーゼルシリンダー潤滑油組成物の全重量に基づいて、活性物質基準で、約０．２５から１０重量％、又は約０．２５から８．０重量％、又は約０．２５から５．０重量％、又は約０．２５から４．０重量％、又は０．２５から３．０重量％、又は約０．５から１０重量％、又は約０．５から８．０重量％、又は約０．５から５．０重量％、又は約０．５から４．０重量％、又は約０．５から３．０重量％、又は約０．５から１０重量％、又は約０．５から８．０重量％、又は約１．０から５．０重量％、又は約１．０から４．０重量％、又は約１．０から３．０重量％、又は約１．５から１０重量％、又は約１．５から８．０重量％、又は約１．５から５．０重量％、又は約１．５から４．０重量％、又は約１．５から３．０重量％、又は約２．０から１０重量％、又は約２．０から８．０重量％、又は約２．０から５．０重量％、又は約２．０から４．０重量％の範囲とすることができる。
【００８１】
別の実施形態では、本発明の船舶用ディーゼルシリンダー潤滑油組成物には、環式カーボナート後処理ポリアルケニルビススクシンイミド分散剤が更に含まれる。この実施形態のポリアルケニルビススクシンイミド分散剤は、上述のように、即ち、ポリアルケニル置換無水コハク酸とポリアミンとの反応によって調製することができる。
【００８２】
この実施形態において、ポリアルケニル置換無水コハク酸は、前記ポリアルケニル置換基が約５００から約５０００の数平均分子量を有するポリアルケンから誘導される場合のポリアルケニル置換無水コハク酸とすることができる。別の実施形態では、本実施形態に従うポリアルケニル置換無水コハク酸は、前記ポリアルケニル置換基が約７００から約３０００の数平均分子量を有するポリアルケンから誘導される場合のポリアルケニル置換無水コハク酸とすることができる。別の実施形態では、本実施形態に従うポリアルケニル置換無水コハク酸は、前記ポリアルケニル置換基が約１０００から約３０００の数平均分子量を有するポリアルケンから誘導される場合のポリアルケニル置換無水コハク酸とすることができる。別の実施形態では、本実施形態に従うポリアルケニル置換無水コハク酸は、前記ポリアルケニル置換基が約１３００から約２５００の数平均分子量を有するポリアルケンから誘導される場合のポリアルケニル置換無水コハク酸とすることができる。別の実施形態では、本実施形態に従うポリアルケニル置換無水コハク酸は、前記ポリアルケニル置換基が約１０００から約２５００の数平均分子量を有するポリアルケンから誘導される場合のポリアルケニル置換無水コハク酸とすることができる。別の実施形態では、本実施形態に従うポリアルケニル置換無水コハク酸は、前記ポリアルケニル置換基が約１５００から約２５００の数平均分子量を有するポリアルケンから誘導される場合のポリアルケニル置換無水コハク酸とすることができる。別の実施形態では、本実施形態に従うポリアルケニル置換無水コハク酸は、前記ポリアルケニル置換基が約２０００から約２５００の数平均分子量を有するポリアルケンから誘導される場合のポリアルケニル置換無水コハク酸とすることができる。
【００８３】
この実施形態のポリアルケニル置換無水コハク酸を形成するためのポリアルケン基は、上記のうちのいずれかであることができる。特に好ましいクラスのポリアルケン基にはポリブテンが含まれ、それは１−ブテン、２−ブテン及びイソブテンの１種以上の重合によって調製される。実質的な割合の、イソブテンから誘導される単位を含有するポリブテンが特に望ましい。
【００８４】
この実施形態のポリアルケニルビススクシンイミド分散剤は、環式カーボナートで後処理されて、環式カーボナート後処理ポリアルケニルビススクシンイミド分散剤を形成する。本発明で使用するのに適した環式カーボナートには、非限定的に、１，３−ジオキソラン−２−オン（エチレンカーボナート）：４−メチル−１，３−ジオキソラン−２−オン（プロピレンカーボナート）；４−ヒドロキシメチル−１，３−ジオキソラン−２−オン：４，５−ジメチル−１，３−ジオキソラン−２−オン；４−エチル−１，３−ジオキソラン−２−オン（ブチレンカーボナート）：４，４−ジメチル−１，３−ジオキソラン−２−オン：４−メチル−５−エチル−１，３−ジオキソラン−２−オン；４，５−ジエチル−１，３−ジオキソラン−２−オン；４，４−ジエチル−１，３−ジオキソラン−２−オン；１，３−ジオキサン−２−オン；４，４−ジメチル−１，３−ジオキサン−２−オン；５，５−ジメチル−１，３−ジオキサン−２−オン：５，５−ジヒドロキシメチル−１，３−ジオキサン−２−オン；５−メチル−１，３−ジオキサン−２−オン；４−メチル−１，３−ジオキサン−２−オン、５−ヒドロキシ−１，３−ジオキサン−２−オン；５−ヒドロキシメチル−５−メチル−１，３−ジオキサン−２−オン；５，５−ジエチル−１，３−ジオキサン−２−オン；５−メチル−５−プロピル−１，３−ジオキサン−２−オン；４，６−ジメチル−１，３−ジオキサン−２−オン；４，４，６−トリメチル−１，３−ジオキサン−２−オン、スピロ［１，３−オキサ−２−シクロヘキサノン−５，５’−１’，３’−オキサ−２’−シクロヘキサノン］等が含まれる。他の好適な環式カーボナートは、ソルビトール、グルコース、フルクトース、ガラクトース等の糖（ｓａｃｃｈｒｉｄｅｓ）、及び当該技術分野で既知の方法によってＣ１からＣ３０オレフィンから調製されるビシナルジオールから調製することができる。
【００８５】
これらの環式カーボナートのうち幾つかは、１，３−ジオキソラン−２−オン又は４−メチル−１，３−ジオキソラン−２−オン等で市販されている。あるいは、環式カーボナートは、既知の反応によって容易に調製することができる。例えば、ホスゲンと好適なアルファアルカンジオール又はアルカン−１，３−ジオールとの反応によって、本発明の使用のための環式カーボナートが得られる。例えば、米国特許第４，１１５，２０６号を参照されたい。その内容は参照により本明細書に援用される。同様に、本発明に有用な環式カーボナートは、エステル交換条件下で、適切なアルファアルカンジオール又はアルカン−１，３−ジオールと、例えばジエチルカーボナートとのエステル交換によって調製することができる。例えば、米国特許第４，３８４，１１５号及び第４，４２３，２０５号を参照されたい。その内容は参照により本明細書に援用される。
【００８６】
ポリアルケニルビススクシンイミド分散剤は、当該技術分野において周知の方法に従って環式カーボナートを用いて後処理することができる。例えば、環式カーボナート後処理ポリアルケニルビススクシンイミド分散剤は、ビススクシンイミド分散剤を反応器に、任意選択的に窒素パージ下に装入し、約８０℃から約１７０℃の温度で加熱することを含む方法によって調製することができる。任意選択的に、希釈油を、窒素パージ下で同じ反応器に装入することができる。環式カーボナートを、任意選択的に窒素パージ下で反応器に装入する。この混合物を窒素パージ下で約１３０℃から約２００℃の範囲の温度に加熱する。任意選択的に、反応混合物を約０．５から約２．０時間、減圧状態にし、反応で形成された水を除去する。
【００８７】
一般的に、本発明の船舶用ディーゼルシリンダー潤滑油組成物中に存在する１種以上の環式カーボナート後処理ポリアルケニルビススクシンイミド分散剤の量は、船舶用ディーゼルシリンダー潤滑油組成物の全重量に基づいて、活性物質基準で、約０．２５重量％超過、又は約０．５重量％超過、又は約１．０重量％超過、又は約１．２重量％超過、又は約１．５重量％超過、又は約１．８重量％超過、又は約２．０重量％超過、又は約２．５重量％超過、又は約２．８重量％超過である。別の実施形態では、本発明の船舶用ディーゼルシリンダー潤滑油組成物中に存在する１種以上の環式カーボナート後処理ポリアルケニルビススクシンイミド分散剤の量は、船舶用ディーゼルシリンダー潤滑油組成物の全重量に基づいて、活性物質基準で、約０．２５から１０重量％、又は約０．２５から８．０重量％、又は約０．２５から５．０重量％、又は約０．２５から４．０重量％、又は０．２５から３．０重量％、又は約０．５から１０重量％、又は約０．５から８．０重量％、又は約０．５から５．０重量％、又は約０．５から４．０重量％、又は約０．５から３．０重量％、又は約０．５から１０重量％、又は約０．５から８．０重量％、又は約１．０から５．０重量％、又は約１．０から４．０重量％、又は約１．０から３．０重量％、又は約１．５から１０重量％、又は約１．５から８．０重量％、又は約１．５から５．０重量％、又は約１．５から４．０重量％、又は約１．５から３．０重量％、又は約２．０から１０重量％、又は約２．０から８．０重量％、又は約２．０から５．０重量％又は約２．０から４．０重量％の範囲とすることができる。
【００８８】
補助的機能を付与するために、本発明の船舶用ディーゼルシリンダー潤滑油組成物に、前記の分散剤以外の、従来の船舶用ディーゼルシリンダー潤滑油組成物の添加剤もまた含有させて、これらの添加剤が分散又は溶解した船舶用ディーゼルシリンダー潤滑油組成物を得ることができる。例えば、船舶用ディーゼルシリンダー潤滑油組成物は、酸化防止剤、清浄剤、抗摩耗剤、防錆剤、曇り除去剤、抗乳化剤、金属不活性化剤、摩擦調整剤、流動点降下剤、消泡剤（ａｎｔｉｆｏａｍｉｎｇ  ａｇｅｎｔｓ）、補助溶媒、腐食防止剤、染料、極圧剤等及びそれらの混合物とブレンドすることができる。多様な添加剤が既知であり、市販されている。これらの添加剤又はそれらの類似の化合物は、普通のブレンド手順によって、本発明の船舶用ディーゼルシリンダー潤滑油組成物の調製に利用することができる。
【００８９】
一実施形態では、本発明の船舶用ディーゼルシリンダー潤滑油組成物は、増粘剤(即ち、粘度指数向上剤)を本質的に含有しない。
【００９０】
本発明の船舶用ディーゼルシリンダー潤滑油組成物に、基油の酸化を低減又は防止することができる１種以上の酸化防止剤を含有させることができる。当業者に既知の任意の酸化防止剤を潤滑油組成物中に使用することができる。好適な酸化防止剤の非限定的な例には、アミン系酸化防止剤（例えば、アルキルジフェニルアミン、例えばビスノニル化ジフェニルアミン、ビスオクチル化ジフェニルアミン、及びオクチル化／ブチル化ジフェニルアミン、フェニル−α−ナフチルアミン、アルキル又はアリールアルキル置換フェニル−α−ナフチルアミン、アルキル化ｐ−フェニレンジアミン、テトラメチルジアミノジフェニルアミン等）、フェノール系酸化防止剤（例えば、２−ｔｅｒｔ−ブチルフェノール、４−メチル−２，６−ジ−ｔｅｒｔ−ブチルフェノール、２，４，６−トリ−ｔｅｒｔ−ブチルフェノール、２，６−ジ−ｔｅｒｔ−ブチル−ｐ−クレゾール、２，６−ジ−ｔｅｒｔ−ブチルフェノール、４，４’−メチレンビス（２，６−ジ−ｔｅｒｔ−ブチルフェノール）、４，４’−チオビス（６−ジ−ｔｅｒｔ−ブチル−ｏ−クレゾール）等）、硫黄系酸化防止剤（例えば、ジラウリル−３，３’−チオジプロピオナート、硫化フェノール系酸化防止剤等）、リン系酸化防止剤（例えば、亜リン酸塩等）、ジチオリン酸亜鉛、油溶性銅化合物並びにこれらの組合せが含まれる。
【００９１】
酸化防止剤の量は、船舶用ディーゼルシリンダー潤滑油組成物の全重量に基づいて、約０．０１重量％から約１０重量％、約０．０５重量％から約５重量％、又は約０．１重量％から約３重量％である。
【００９２】
本発明の船舶用ディーゼルシリンダー潤滑油組成物には、１種以上の清浄剤を含有させることができる。金属含有清浄剤又は灰形成清浄剤は、堆積物を低減又は除去する清浄剤、及び酸中和剤又は防錆剤の両方として機能し、それによって摩耗及び腐食が低減され、エンジン寿命が伸びる。清浄剤は、一般的に、長い疎水性尾部を有する極性頭部から構成される。極性頭部は、酸性有機化合物の金属塩から構成される。塩には、実質的に化学量論的量の金属を含有させることができ、その場合、それらは、通常、正塩又は中性塩として記載される。主要量の金属塩基を、過剰の金属化合物（例えば、酸化物又は水酸化物）と酸性ガス（例えば、二酸化炭素）とを反応させることによって結合させることができる。
【００９３】
使用できる清浄剤には、特にアルカリ又はアルカリ土類金属、例えばバリウム、ナトリウム、カリウム、リチウム、カルシウム、及びマグネシウム等の金属の、油溶性中性及び過塩基性スルホン酸塩、フェナート、硫化フェナート、チオホスホナート、サリチラート及びナフテナート及び他の油溶性カルボキシラートが含まれる。最も普通に使用される金属は、カルシウム及びマグネシウムであり、これらは共に潤滑剤中で使用される清浄剤中に存在することができ、カルシウム及び／又はマグネシウムとナトリウムとの混合物中に存在することができる。
【００９４】
市販の生成物は、一般的に、中性又は過塩基性と称される。過塩基性金属清浄剤は、一般的に、炭化水素、清浄剤酸（ｄｅｔｅｒｇｅｎｔ  ａｃｉｄ）、例えば：スルホン酸、カルボキシラート等、金属酸化物又は水酸化物（例えば酸化カルシウム又は水酸化カルシウム）及び促進剤、例えばキシレン、メタノール及び水の混合物をカーボナート化することによって生成される。例えば、カルボナート化において、過塩基性スルホン酸カルシウムを調製するために、酸化カルシウム又は水酸化カルシウムを、気体の二酸化炭素と反応させて、炭酸カルシウムを形成する。スルホン酸を過剰のＣａＯ又はＣａ（ＯＨ）２で中和して、スルホナートを形成する。
【００９５】
過塩基性清浄剤は、低過塩基性、例えば１００未満のＢＮを有する過塩基性塩とすることができる。一実施形態では、低過塩基性塩のＢＮは、約５から約５０であることができる。別の実施形態では、低過塩基性塩のＢＮは、約１０から約３０であることができる。更に別の実施形態では、低過塩基性塩のＢＮは、約１５から約２０であることができる。
【００９６】
過塩基性清浄剤は、中過塩基性、例えば約１００から約２５０のＢＮを有する過塩基性塩であることができる。一実施形態では、中過塩基性塩のＢＮは、約１００から約２００であることができる。別の実施形態では、中過塩基性塩のＢＮは、約１２５から約１７５であることができる。
【００９７】
過塩基性清浄剤は、高過塩基性、例えば２５０を超えるＢＮを有する過塩基性塩であることができる。一実施形態では、高過塩基性塩のＢＮは約２５０から約５５０であることができる。
【００９８】
一実施形態では、清浄剤は、アルキル置換ヒドロキシ芳香族カルボン酸の１種以上のアルカリ金属塩又はアルカリ土類金属塩であることができる。好適なヒドロキシ芳香族化合物には、１から４個、好ましくは１から３個のヒドロキシル基を有する単核モノヒドロキシ及びポリヒドロキシ芳香族炭化水素が含まれる。好適なヒドロキシ芳香族化合物には、フェノール、カテコール、レゾルシノール、ヒドロキノン、ピロガロール、クレゾール等が含まれる。好ましいヒドロキシ芳香族化合物はフェノールである。
【００９９】
アルキル置換ヒドロキシ芳香族カルボン酸のアルカリ金属塩又はアルカリ土類金属塩のアルキル置換部分は、約１０から約８０個の炭素原子を有するアルファオレフィンから誘導される。使用されるオレフィンは、直鎖、異性化直鎖、分枝鎖又は部分的に分枝した直鎖であることができる。オレフィンは、直鎖オレフィンの混合物、異性化直鎖オレフィンの混合物、分枝鎖オレフィンの混合物、部分的に分枝した直鎖の混合物又はこれらの任意の混合物であることができる。
【０１００】
一実施形態では、使用することができる直鎖オレフィンの混合物は、１分子当たり約１２から約３０個の炭素原子を有するオレフィンから選択されるノルマルアルファオレフィンの混合物である。一実施形態では、ノルマルアルファオレフィンは、固体触媒又は液体触媒の少なくとも１種を使用して異性化される。
【０１０１】
別の実施形態では、オレフィンは、約２０から約８０個の炭素原子を有する分枝鎖オレフィン性プロピレンオリゴマー又はその混合物、即ちプロピレンの重合から誘導される分枝鎖オレフィンである。オレフィンは、他の官能基、例えばヒドロキシ基、カルボン酸基、ヘテロ原子等で置換されていてもよい。一実施形態では、分枝鎖オレフィン性プロピレンオリゴマー又はその混合物は、約２０から約６０個の炭素原子を有する。一実施形態では、分枝鎖オレフィン性プロピレンオリゴマー又はその混合物は、約２０から約４０個の炭素原子を有する。
【０１０２】
一実施形態では、アルキル置換ヒドロキシ安息香酸清浄剤のアルカリ土類金属塩のアルキル基等の、アルキル置換ヒドロキシ芳香族カルボン酸のアルカリ金属塩又はアルカリ土類金属塩に含有されるアルキル基の少なくとも約７５モル％（例えば、少なくとも約８０モル％、少なくとも約８５モル％、少なくとも約９０モル％、少なくとも約９５モル％、又は少なくとも約９９モル％）は、Ｃ２０以上である。別の実施形態では、アルキル置換ヒドロキシ芳香族カルボン酸のアルカリ金属塩又はアルカリ土類金属塩は、アルキル基が少なくとも７５モル％のＣ２０以上のノルマルα−オレフィンを含有するノルマルアルファ−オレフィンの残渣であるアルキル置換ヒドロキシ安息香酸から誘導されるアルキル置換ヒドロキシ安息香酸のアルカリ金属塩又はアルカリ土類金属塩である。
【０１０３】
別の実施形態では、アルキル置換ヒドロキシ安息香酸のアルカリ金属塩又はアルカリ土類金属塩のアルキル基等の、アルキル置換ヒドロキシ芳香族カルボン酸のアルカリ金属塩又はアルカリ土類金属塩に含有されるアルキル基の少なくとも約５０モル％（例えば、少なくとも約６０モル％、少なくとも約７０モル％、少なくとも約８０モル％、少なくとも約８５モル％、少なくとも約９０モル％、少なくとも約９５モル％、又は少なくとも約９９モル％）は、約Ｃ１４から約Ｃ１８である。
【０１０４】
得られるアルキル置換ヒドロキシ芳香族カルボン酸のアルカリ金属塩又はアルカリ土類金属塩は、オルト及びパラ異性体の混合物であろう。一実施形態では、生成物は、約１から９９％のオルト異性体及び９９から１％のパラ異性体を含有するであろう。別の実施形態では、生成物は、約５から７０％のオルト異性体及び９５から３０％のパラ異性体を含有するであろう。
【０１０５】
アルキル置換ヒドロキシ芳香族カルボン酸のアルカリ金属塩又はアルカリ土類金属塩は、中性又は過塩基性であることができる。一般的に、アルキル置換ヒドロキシ芳香族カルボン酸の過塩基性アルカリ金属塩又はアルカリ土類金属塩は、アルキル置換ヒドロキシ芳香族カルボン酸のアルカリ金属塩又はアルカリ土類金属塩のＢＮが、塩基供給源（例えば、石灰）及び酸性過塩基性化合物（例えば、二酸化炭素）の添加等のプロセスによって増加したものである。
【０１０６】
スルホナートは、典型的には、アルキル置換芳香族炭化水素、例えば、石油の留分から又は芳香族炭化水素のアルキル化によって得られるもののスルホン化によって得られるスルホン酸から調製することができる。例には、ベンゼン、トルエン、キシレン、ナフタレン、ジフェニル又はそれらのハロゲン誘導体をアルキル化することによって得られるものが含まれる。アルキル化は、触媒の存在下で、約３個から７０個を超える炭素原子を有するアルキル化剤を用いて行うことができる。アルカリールスルホナートには、通常、アルキル置換芳香族部分１つ当たり約９から約８０個又はそれ以上の炭素原子、好ましくは約１６から約６０個の炭素原子が含有される。
【０１０７】
油溶性スルホナート又はアルカリールスルホン酸は、金属の酸化物、水酸化物、アルコキシド、カルボナート、カルボキシラート、スルフィド、ヒドロスルフィド、ニトラート、ボラート及びエーテルを用いて中和することができる。金属化合物の量は、最終的な生成物の所望のＴＢＮを考慮して選択されるが、典型的には化学量論的に必要な量の約１００から約２２０重量％（好ましくは少なくとも約１２５重量％）の範囲である。
【０１０８】
フェノール及び硫化フェノールの金属塩は、適当な金属化合物、例えば酸化物又は水酸化物との反応によって調製され、中性又は過塩基性生成物は、当該技術分野で周知の方法によって得ることができる。硫化フェノールは、フェノールを硫黄又は硫黄含有化合物、例えば硫化水素、一ハロゲン化硫黄又は二ハロゲン化硫黄と反応させることによって調製して、一般的に、２個以上のフェノールが硫黄含有架橋によって架橋された化合物の混合物である生成物を形成することができる。
【０１０９】
一般的に、清浄剤の量は、船舶用ディーゼルシリンダー潤滑油組成物の全重量に基づいて、約０．００１重量％から約２５重量％、又は約０．０５重量％から約２０重量％、又は約０．１重量％から約１５重量％であることができる。
【０１１０】
本発明の船舶用ディーゼルシリンダー潤滑油組成物には、可動部品間の摩擦を低減することができる１種以上の摩擦調整剤を含有させることができる。当業者に既知の任意の摩擦調整剤を船舶用ディーゼルシリンダー潤滑油組成物に使用することができる。好適な摩擦調整剤の非限定的な例には、脂肪族（ｆａｔｔｙ）カルボン酸；脂肪族カルボン酸の誘導体（例えば、アルコール、エステル、ホウ酸エステル、アミド、金属塩等）；モノ−、ジ−若しくはトリ−アルキル置換リン酸又はホスホン酸；モノ−、ジ−若しくはトリ−アルキル置換リン酸又はホスホン酸の誘導体（例えば、エステル、アミド、金属塩等）；モノ−、ジ−若しくはトリ−アルキル置換アミン；モノ−若しくはジ−アルキル置換アミド並びにそれらの組合せが含まれる。幾つかの実施形態では、摩擦調整剤の例には、非限定的に、アルコキシ化脂肪族アミン；ホウ酸化脂肪族エポキシド；脂肪族ホスファイト、脂肪族エポキシド、脂肪族アミン、ホウ酸化アルコキシ化脂肪族アミン、脂肪酸の金属塩、脂肪酸アミド、グリセロールエステル、ホウ酸化グリセロールエステル；及び脂肪族イミダゾリン（これらは、米国特許第６，３７２，６９６号に開示されており、その内容を、参照により本明細書に援用する）；Ｃ４からＣ７５、又はＣ６からＣ２４、又はＣ６からＣ２０の脂肪酸エステルと、アンモニア及びアルカノールアミン等並びにこれらの混合物から成る群から選択される窒素含有化合物との反応生成物から得られる摩擦調整剤が含まれる。
【０１１１】
摩擦調整剤の量は、船舶用ディーゼルシリンダー潤滑油組成物の全重量に基づいて、約０．０１重量％から約１０重量％、約０．０５重量％から約５重量％、又は約０．１重量％から約３重量％で変化させることができる。
【０１１２】
本発明の船舶用ディーゼルシリンダー潤滑油組成物には、摩擦及び過度の摩耗を低減することができる１種以上の耐摩耗剤を含有させることができる。当業者に既知の耐摩耗剤を、潤滑油組成物に使用することができる。好適な耐摩耗剤の非限定的な例には、ジチオリン酸亜鉛、ジチオリン酸の金属（例えば、Ｐｂ、Ｓｂ、Ｍｏ等）塩、ジチオカルバミン酸の金属（例えば、Ｚｎ、Ｐｂ、Ｓｂ、Ｍｏ等）塩、脂肪酸の金属（例えば、Ｚｎ、Ｐｂ、Ｓｂ等）塩、ホウ素化合物、リン酸エステル、亜リン酸エステル、リン酸エステル又はチオリン酸エステルのアミン塩、ジシクロペンタジエンとチオリン酸との反応生成物及びそれらの組合せが含まれる。
【０１１３】
耐摩耗剤の量は、船舶用ディーゼルシリンダー潤滑油組成物の全重量に基づいて、約０．０１重量％から約５重量％、又は約０．０５重量％から約３重量％、又は約０．１重量％から約１重量％で変化させることができる。
【０１１４】
特定の実施形態では、耐摩耗剤は、ジヒドロカルビルジチオリン酸金属塩、例えばジアルキルジチオリン酸亜鉛化合物等であるか、又はこれを含む。ジヒドロカルビルジチオリン酸金属塩の金属は、アルカリ金属若しくはアルカリ土類金属、又はアルミニウム、鉛、スズ、モリブデン、マンガン、ニッケル又は銅であることができる。幾つかの実施形態では、金属は亜鉛である。他の実施形態では、ジヒドロカルビルジチオリン酸金属塩のアルキル基は、約３から約２２個の炭素原子、約３から約１８個の炭素原子、約３から約１２個の炭素原子、又は約３から約８個の炭素原子を有する。更なる実施形態では、アルキル基は直鎖又は分枝鎖である。
【０１１５】
本明細書に開示される潤滑油組成物中のジアルキルジチオリン酸亜鉛塩を含むジヒドロカルビルジチオリン酸金属塩の量は、リン含量によって測定される。幾つかの実施形態では、本明細書に開示される潤滑油組成物のリン含量は、潤滑油組成物の全重量に基づいて、約０．０１重量％から約０．１４重量％である。
【０１１６】
本発明の船舶用ディーゼルシリンダー潤滑油組成物には、油中の泡を壊すことができる１種以上の抑泡剤（ｆｏａｍ  ｉｎｈｉｂｉｔｏｒｓ）又は消泡剤（ａｎｔｉ−ｆｏａｍ  ｉｎｈｉｂｉｔｏｒｓ）を含有させることができる。当業者に既知の抑泡剤又は消泡剤を、船舶用ディーゼルシリンダー潤滑油組成物に使用することができる。好適な抑泡剤又は消泡剤の非限定的な例には、シリコーン油又はポリジメチルシロキサン、フルオロシリコーン、アルコキシ化脂肪酸、ポリエーテル（例えば、ポリエチレングリコール）、分枝状ポリビニルエーテル、アルキルアクリラートポリマー、アルキルメタクリラートポリマー、ポリアルコキシアミン及びそれらの組合せが含まれる。幾つかの実施形態では、抑泡剤又は消泡剤には、グリセロールモノステアラート、ポリグリコールパルミタート、トリアルキルモノチオホスファート、スルホン化リシノール酸のエステル、ベンゾイルアセトン、サリチル酸メチル、グリセロールモノオレアート又はグリセロールジオレアートが含まれる。
【０１１７】
抑泡剤又は消泡剤の量は、船舶用ディーゼルシリンダー潤滑油組成物の全重量に基づいて、約０．００１重量％から約５重量％、又は約０．０５重量％から約３重量％、又は約０．１重量％から約１重量％で変化させることができる。
【０１１８】
本発明の船舶用ディーゼルシリンダー潤滑油組成物には、船舶用ディーゼルシリンダー潤滑油組成物の流動点を低下させることができる１種以上の流動点降下剤を含有させることができる。当業者に既知の任意の流動点降下剤を、船舶用ディーゼルシリンダー潤滑油組成物に使用することができる。好適な流動点降下剤の非限定的な例には、ポリメタクリラート、アルキルアクリラートポリマー、アルキルメタクリラートポリマー、ジ（テトラ−パラフィンフェノール）フタラート、テトラパラフィンフェノールの縮合物、塩素化パラフィンとナフタレンとの縮合物及びこれらの組合せが含まれる。幾つかの実施形態では、流動点降下剤には、エチレン−酢酸ビニルコポリマー、塩素化パラフィンとフェノールとの縮合物、ポリアルキルスチレン等が含まれる。
【０１１９】
流動点降下剤の量は、船舶用ディーゼルシリンダー潤滑油組成物の全重量に基づいて、約０．０１重量％から約１０重量％、又は約０．０５重量％から約５重量％、又は約０．１重量％から約３重量％で変化させることができる。
【０１２０】
一実施形態では、本発明の船舶用ディーゼルシリンダー潤滑油組成物には、１種以上の抗乳化剤は含有されない。別の実施形態では、本発明の船舶用ディーゼルシリンダー潤滑油組成物には、水又は蒸気に曝される潤滑油組成物中で油−水分離を促進することができる１種以上の抗乳化剤を含有させることができる。当業者に既知の任意の抗乳化剤を、船舶用ディーゼルシリンダー潤滑油組成物に使用することができる。好適な抗乳化剤の非限定的な例には、陰イオン界面活性剤（例えば、アルキルナフタレンスルホナート、アルキルベンゼンスルホナート等）、非イオン性アルコキシ化アルキルフェノール樹脂、アルキレンオキシドのポリマー（例えば、ポリエチレンオキシド、ポリプロピレンオキシド、エチレンオキシド、プロピレンオキシド等のブロックコポリマー）、油溶性酸のエステル、ポリオキシエチレンソルビタンエステル及びそれらの組合せが含まれる。
【０１２１】
抗乳化剤の量は、船舶用ディーゼルシリンダー潤滑油組成物の全重量に基づいて、約０．０１重量％から約１０重量％、又は約０．０５重量％から約５重量％、又は約０．１重量％から約３重量％で変化させることができる。
【０１２２】
本発明の船舶用ディーゼルシリンダー潤滑油組成物には、腐食を低減することができる１種以上の腐食防止剤を含有させることができる。当業者に既知の任意の腐食防止剤を船舶用ディーゼルシリンダー潤滑油組成物に使用することができる。好適な腐食防止剤の非限定的な例には、ドデシルコハク酸の半エステル又はアミド、リン酸エステル、チオホスファート、アルキルイミダゾリン、サルコシン及びそれらの組合せが含まれる。
【０１２３】
腐食防止剤の量は、船舶用ディーゼルシリンダー潤滑油組成物の全重量に基づいて、約０．０１重量％から約５重量％、又は約０．０５重量％から約３重量％、又は約０．１重量％から約１重量％で変化させることができる。
【０１２４】
本発明の船舶用ディーゼルシリンダー潤滑油組成物には、極圧条件下で摺動金属表面が焼き付くのを防止することができる１種以上の極圧（ＥＰ）剤を含有させることができる。当業者に既知の任意の極圧剤を、船舶用ディーゼルシリンダー潤滑油組成物に使用することができる。一般的に、極圧剤は、金属と化学的に結合して、高負荷下で対向する金属表面の凹凸が溶接するのを防止する表面フィルムを形成することができる化合物である。好適な極圧剤の非限定的な例には、硫化した動物性又は植物性の油脂、硫化した動物性又は植物性の脂肪酸エステル、リンの３価又は５価の酸の完全に又は部分的にエステル化したエステル、硫化オレフィン、ジヒドロカルビルポリスルフィド、硫化ディールス−アルダー付加物、硫化ジシクロペンタジエン、脂肪酸エステルとモノ不飽和オレフィンの硫化又は共硫化混合物、脂肪酸、脂肪酸エステル及びアルファオレフィンの共硫化ブレンド、官能基置換ジヒドロカルビルポリスルフィド、チオ（ｔｈｉａ）アルデヒド、チオ（ｔｈｉａ）ケトン、エピチオ化合物、硫黄含有アセタール誘導体、テルペン及び非環式オレフィンの共硫化ブレンド、及びポリスルフィドオレフィン生成物、リン酸エステル又はチオリン酸エステルのアミン塩及びそれらの組合せが含まれる。
【０１２５】
極圧剤の量は、船舶用ディーゼルシリンダー潤滑油組成物の全重量に基づいて、約０．０１重量％から約５重量％、又は約０．０５重量％から約３重量％、又は約０．１重量％から約１重量％で変化させることができる。
【０１２６】
本発明の船舶用ディーゼルシリンダー潤滑油組成物には、鉄金属表面の腐食を抑制することができる１種以上の防錆剤を含有させことができる。当業者に既知の任意の防錆剤を、船舶用ディーゼルシリンダー潤滑油組成物に使用することができる。好適な防錆剤の非限定的な例には、非イオン性ポリオキシアルキレン剤、例えば、ポリオキシエチレンラウリルエーテル、ポリオキシエチレン高級アルコールエーテル、ポリオキシエチレンノニルフェニルエーテル、ポリオキシエチレンオクチルフェニルエーテル、ポリオキシエチレンオクチルステアリルエーテル、ポリオキシエチレンオレイルエーテル、ポリオキシエチレンソルビトールモノステアラート、ポリオキシエチレンソルビトールモノオレアート、及びポリエチレングリコールモノオレアート；ステアリン酸及び他の脂肪酸；ジカルボン酸；金属セッケン；脂肪酸アミン塩；重質スルホン酸の金属塩；多価アルコールの部分カルボン酸エステル；リン酸エステル；（短鎖）アルケニルコハク酸；それらの部分エステル及びそれらの窒素含有誘導体；合成アルカリールスルホナート、例えば、ジノニルナフタレンスルホン酸金属塩；等並びにそれらの混合物が含まれる。
【０１２７】
防錆剤の量は、船舶用ディーゼルシリンダー潤滑油組成物の全重量に基づいて、約０．０１重量％から約１０重量％、又は約０．０５重量％から約５重量％、又は約０．１重量％から約３重量％で変化させることができる。
【０１２８】
本発明の船舶用ディーゼルシリンダー潤滑油組成物には、１種以上の多機能性添加剤を含有させることができる。好適な多機能性添加剤の非限定的な例には、硫化オキシモリブデンジチオカルバマート、硫化オキシモリブデン有機ホスホロジチオアート、オキシモリブデンモノグリセリド、オキシモリブデンジエチラートアミド、アミン−モリブデン錯化合物、及び硫黄含有モリブデン錯化合物が含まれる。
【０１２９】
本発明の船舶用ディーゼルシリンダー潤滑油組成物には、１種以上の粘度指数向上剤を含有させることができる。好適な粘度指数向上剤の非限定的な例には、非限定的に、オレフィンコポリマー、例えば、エチレン−プロピレンコポリマー、スチレン−イソプレンコポリマー、水和スチレン−イソプレンコポリマー、ポリブテン、ポリイソブチレン、ポリメタクリラート、ビニルピロリドンとメタクリラートとのコポリマー及び分散剤タイプの粘度指数向上剤が含まれる。これらの粘度調整剤は、任意選択的に、例えば、無水マレイン酸等のグラフト化材料でグラフトされることができ、グラフト化材料は、例えば、アミン、アミド、窒素含有複素環式化合物又はアルコールと反応して多機能性粘度調整剤（分散剤−粘度調整剤）を形成することができる。粘度調整剤の他の例には、スターポリマー（例えば、イソプレン／スチレン／イソプレントリブロックを含むスターポリマー）が含まれる。粘度調整剤の更に他の例には、低ブルックフィールド粘度及び高剪断安定性のポリアルキル（メタ）アクリラート、高ブルックフィールド粘度及び高剪断安定性の分散剤特性を有する機能性ポリアルキル（メタ）アクリラート、７００から２，５００ダルトンの重量平均分子量を有するポリイソブチレン及びそれらの混合物が含まれる。
【０１３０】
粘度指数向上剤の量は、船舶用ディーゼルシリンダー潤滑油組成物の全重量に基づいて、約０．０１重量％から約２５重量％、又は約０．０５重量％から約２０重量％、又は約０．３重量％から約１５重量％で変化させることができる。
【０１３１】
本発明の船舶用ディーゼルシリンダー潤滑油組成物には、１種以上の金属不活性化剤を含有させることができる。好適な金属不活性化剤の非限定的な例には、ジサリチリデンプロピレンジアミン、トリアゾール誘導体、チアジアゾール誘導体、及びメルカプトベンゾイミダゾールが含まれる。
【０１３２】
加えて、前記の船舶用ディーゼルシリンダー潤滑油組成物の添加剤は、添加剤パッケージ又は濃縮物として提供することができ、そこで、添加剤は、上記のように実質的に不活性な、通常は液体の有機希釈剤中に混合されている。添加剤パッケージには、典型的に、必要量の潤滑粘度の油との直接混合を容易にする所望の量及び比率で、上記のような多様な添加剤の１種以上が含有されるであろう。
【０１３３】
以下の非限定的な例により、本発明を説明する。
【０１３４】
本発明の利点は、様々なスクシンイミド分散剤をベースライン配合物中に含有するグループＩ及びグループＩＩベースの船舶用シリンダー潤滑油組成物を、同じベースライン配合物であるが分散剤を含有しない潤滑油組成物と比較して評価することによって実証された。
【０１３５】
本発明の船舶用シリンダー潤滑油組成物の酸化に起因する粘度増加に対する安定性の程度を、改正石油協会４８（ＭＩＰ−４８）試験を使用して評価した。
【０１３６】
改正石油協会４８（ＭＩＰ−４８）試験
【０１３７】
ＭＩＰ−４８試験は、熱パートと酸化パートとから構成される。試験の両パートの間、試験サンプルをある時間加熱する。試験の熱パートでは、窒素を加熱される油サンプルに２４時間通過させ、そして平行して試験の酸化パートの間、空気を加熱される油サンプルに２４時間通過させる。２つのサンプルを冷却し、２つのサンプルの粘度を測定した。酸化によって引起された試験油の粘度増加を測定し、そして熱の影響について補正した。各船舶用シリンダー潤滑油組成物についての酸化に起因する粘度増加を、窒素吹付けサンプルの２００℃での動粘度を、空気吹付けサンプルの２００℃での動粘度から減算し、そして、その減算結果を、窒素吹付けサンプルの２００℃での動粘度で除算することにより計算した。これを、試験中の潜在的な蒸発の影響、又は他の熱の影響について補正し、これによって、酸化の影響に焦点を当てた。この補正は負の値になる可能性がある。酸化に起因する粘度増加に対してより良好な安定性を示す試験油では、より低い％値が示されるであろう。
【０１３８】
加えて、発泡を抑制する本発明の船舶用シリンダー潤滑油組成物の能力を、以下の発泡試験を使用して評価した。
【０１３９】
発泡試験
【０１４０】
試験方法の要約
【０１４１】
この試験方法は、２４℃及び９３．５℃における潤滑油の発泡特性の測定を対象に含む。２４℃（７５°Ｆ）の温度に維持されたサンプルに、空気を一定速度で５分間吹付け、次いで１０分間静置する（「シーケンスＩ」）。泡の体積を、両方の期間の終了時に測定する。試験を、第２のサンプルについて、９３．５℃（２００°Ｆ）で（「シーケンスＩＩ」）、次いで泡を壊した後、２４℃（７５°Ｆ）（「シーケンスＩＩＩ」）で繰返す。
【０１４２】
重要性及び使用
【０１４３】
油の発泡傾向は、高速ギアリング、大容量ポンピング、及びスプラッシュ潤滑等のシステムにおける深刻な問題になる可能性がある。不十分な潤滑、キャビテーション、及び潤滑剤のオーバーフローロスにより、機械的故障に至る可能性がある。この試験方法は、このような動作条件のための油の評価に使用される。
【０１４４】
以下の成分は、船舶用ディーゼルシリンダー潤滑油組成物を配合する際に以下のように使用される。
【０１４５】
ＥｘｘｏｎＭｏｂｉｌ  ＣＯＲＥ（登録商標）１５０Ｎ：ＥｘｘｏｎＭｏｂｉｌ（テキサス州、アービング）から入手可能なグループＩベースの潤滑油。
【０１４６】
ＥｘｘｏｎＭｏｂｉｌ  ＣＯＲＥ（登録商標）６００Ｎ：ＥｘｘｏｎＭｏｂｉｌ（テキサス州、アービング）から入手可能なグループＩベースの潤滑油。
【０１４７】
Ｅｓｓｏ  Ｃｏｒｅ（登録商標）２５００ＢＳ：ＥｘｘｏｎＭｏｂｉｌ（テキサス州、アービング）から入手可能なグループＩのブライトストック。
【０１４８】
Ｃｈｅｖｒｏｎ  ６００Ｎ：Ｃｈｅｖｒｏｎ  Ｃｏｒｐｏｒａｔｉｏｎ（カリフォルニア州、サンラモン）から入手可能なグループＩＩベースの潤滑油。
【０１４９】
Ｃｈｅｖｒｏｎ  ＲＬＯＰ  １００：Ｃｈｅｖｒｏｎ  Ｃｏｒｐｏｒａｔｉｏｎ（カリフォルニア州、サンラモン）から入手可能なグループＩＩベースの潤滑油。
【０１５０】
以下の例で使用されるスクシンイミド分散剤を以下に説明する：
【０１５１】
分散剤Ａ：１０００の数平均分子量（Ｍｎ）を有するポリイソブチレン及び重質ポリアミン／ジエチレントリアミン（８０／２０重量／重量）から誘導される主にビススクシンイミドの分散剤の油濃縮物。この添加剤には、２．０％の窒素、約３２％の希釈油が含有され、３８ｍｇ・ＫＯＨ／ｇのＴＢＮを有する。
【０１５２】
分散剤Ｂ：１３００のＭｎを有するポリイソブチレン及び重質ポリアミン／ジエチレントリアミン（８０／２０重量／重量）から誘導される主にビススクシンイミドの分散剤の油濃縮物。この添加剤には、１．４５％の窒素、約３９％の希釈油が含有され、２７ｍｇ・ＫＯＨ／ｇのＴＢＮを有する。
【０１５３】
分散剤Ｃ：１３００のＭｎを有するポリイソブチレン及び重質ポリアミンから誘導されるホウ酸化後処理の主にビススクシンイミドの分散剤の油濃縮物。この添加剤には、１．９５％の窒素、０．６３％のホウ素、約３７％の希釈油が含有され、４３ｍｇ・ＫＯＨ／ｇのＴＢＮを有する。
【０１５４】
分散剤Ｄ：２３００のＭｎを有するポリイソブチレン及び重質ポリアミンから誘導されるエチレンカーボナート後処理の主にビススクシンイミドの分散剤の油濃縮物。この添加剤には、１．０％の窒素、約４３％の希釈油（約５７％の活性物質）が含有され、１２．５ｍｇ・ＫＯＨ／ｇのＴＢＮを有する。
分散剤Ｅ：２３００のＭｎを有するポリイソブチレン及び重質ポリアミンから誘導されるビススクシンイミド分散剤の油濃縮物。この添加剤には、１．２５％の窒素、約４２％の希釈油が含有され、２９ｍｇＫＯＨ／ｇのＴＢＮを有する。この分散剤は、エチレンカーボナートによる後処理工程前の、分散剤Ｄのスクシンイミド前駆体である。
【０１５５】
以下の表に示される分散剤濃縮物（ｃｏｎｃｅｎｔｒａｔｉｏｎ）の量は、活性分散剤の量ではなく、配合物に添加された油濃縮物の量に基づいている。実施例中の分散剤Ａ、Ｂ、Ｃ及びＥの量が、５．０重量％（２．９重量％の活性物質）の分散剤Ｄに、モル基準で等しくなるように、ビススクシンイミド分散剤のコアを構成するアミンのモルによって決定される等モル基準で、分散剤を組成物に添加した。次いで、分散剤Ｄを、臨界濃度レベルについて評価するために、幾つかの例で、２．５重量％と３．５重量％の添加剤濃度（それぞれ１．４重量％の活性物質及び２．０重量％の活性物質）に下方処理（ｄｏｗｎｔｒｅａｔ）した。
実施例１から７及び比較例１から５
以下の表１に示すように、実施例１から７及び比較例１から５の船舶用シリンダー潤滑油組成物を調製した。各船舶用シリンダー潤滑油組成物を、主要量のグループＩベースストックを使用してＳＡＥ５０粘度等級に配合した。実施例５及び７の船舶用シリンダー潤滑油組成物には、以下の添加剤：即ち、１１４ＢＮ硫化カルシウムアルキルフェナート清浄剤の油濃縮物、２６０ＢＮ硫化カルシウムアルキルフェナート清浄剤の油濃縮物、４１０ＢＮ高過塩基性アルキル芳香族カルシウムスルホナート清浄剤の油濃縮物、第二級ジアルキルジチオリン酸亜鉛及び抑泡剤が含まれた。表１の残りの例の船舶用シリンダー潤滑油組成物には、以下の添加剤：即ち、１１４ＢＮの硫化カルシウムアルキルフェナート清浄剤の油濃縮物、直鎖アルキル置換ヒドロキシ安息香酸のカルシウム塩を含む１５０ＢＮの過塩基性清浄剤の油濃縮物、４１０ＢＮの高過塩基性アルキル芳香族カルシウムスルホナート清浄剤の油濃縮物、及び抑泡剤が含まれた。比較例１には、スクシンイミド分散剤が含有されておらず、基準油である。比較例３，４及び５及び実施例６及び７の分散剤の量は、等モル基準で５．０重量％の分散剤Ｄと等しい。実施例６及び７には、エチレンカーボナートで後処理されていないより高分子量のスクシンイミド分散剤が含有される。
【表１】
2018521190.tif 000003
【０１５６】
表１に示された結果から分かるように、実施例１から７の船舶用ディーゼルシリンダー潤滑油組成物は、比較例１から５のグループＩベースのシリンダー潤滑剤と比較して、ＭＩＰ−４８試験によって測定された％粘度増加が同等かそれより低いことによって明らかなように、酸化に起因する粘度増加に対して驚く程良好か又は同等な安定性を示した。また、実施例１から７の船舶用ディーゼルシリンダー潤滑油組成物の発泡傾向は、比較例と比較して有意に改善された。加えて、実施例１から７の船舶用ディーゼルシリンダー潤滑油組成物は、比較例の船舶用ディーゼルシリンダー潤滑油組成物よりも少ないブライトストック（例ではＥｓｓｏ  Ｃｏｒｅ  ２５００ＢＳで表示）を使用して所望の粘度を達成した。
実施例８から１２及び比較例６から９
【０１５７】
以下の表２に示すように、実施例８から１２及び比較例６から９の船舶用シリンダー潤滑油組成物を調製した。各船舶用シリンダー潤滑油組成物を、主要量のグループＩＩのベースストックを使用してＳＡＥ５０粘度等級に配合した。実施例１２の船舶用シリンダー潤滑油組成物には、１１４ＢＮ硫化カルシウムアルキルフェナート清浄剤の油濃縮物、２６０ＢＮ硫化カルシウムアルキルフェナート清浄剤の油濃縮物、４１０ＢＮ高過塩基性アルキル芳香族カルシウムスルホナート清浄剤の油濃縮物、第二級ジアルキルジチオリン酸亜鉛及び抑泡剤が更に含まれた。表２の残りの例の船舶用シリンダー潤滑油組成物には、以下の添加剤：即ち、１１４ＢＮ硫化カルシウムアルキルフェナート清浄剤の油濃縮物、直鎖アルキル置換ヒドロキシ安息香酸のカルシウム塩を含む１５０ＢＮ過塩基性清浄剤の油濃縮物、４１０ＢＮ高過塩基性アルキル芳香族カルシウムスルホナート清浄剤の油濃縮物、及び抑泡剤が含まれた。比較例６は、スクシンイミド分散剤を全く含まず、基準油である。比較例７、８及び９における分散剤の量は、等モル基準で５．０重量％の分散剤Ｄと等しい。
【表２】
2018521190.tif 000004
【０１５８】
表２に示された結果から分かるように、実施例９、１１及び１２の船舶用ディーゼルシリンダー潤滑油組成物は、比較例６から９のグループＩＩベースの船舶用ディーゼルシリンダー潤滑油組成物と比較して、ＭＩＰ−４８試験によって測定された％粘度増加がより低いことによって明らかなように、酸化に起因する粘度増加に対して驚く程良好な安定性を示した。また、実施例９、１１及び１２の船舶用ディーゼルシリンダー潤滑油組成物の発泡傾向は、比較例よりも有意に良好であった。本発明の実施例８及び１０は、モル当量の約半分の分散剤を使用して、比較例よりも改善された粘度増加性能及びほぼ同等の発泡性能をもたらした。加えて、実施例８から１２の船舶用ディーゼルシリンダー潤滑油組成物は、比較例の船舶用ディーゼルシリンダー潤滑油組成物よりも少ないブライトストックを使用して所望の粘度を達成した。
実施例１３及び１４及び比較例１０から１４
【０１５９】
以下の表３に示すように、実施例１３及び１４及び比較例１０から１４の船舶用シリンダー潤滑油組成物を調製した。各船舶用シリンダー潤滑油組成物を、主要量のグループＩのベースストックを使用してＳＡＥ５０粘度等級油に配合した。船舶用シリンダー潤滑油組成物の各々には、更に以下の添加剤：即ち、４１０ＢＮ高過塩基性アルキル芳香族カルシウムスルホナート清浄剤の油濃縮物、１９ＢＮ非過塩基性アルキル芳香族カルシウムスルホナート清浄剤の油濃縮物、第二級ジアルキルジチオリン酸亜鉛、アミン系酸化防止剤及び抑泡剤が含まれた。比較例１０は、スクシンイミド分散剤を含有せず、基準油である。比較例１２、１３及び１４における分散剤の量は、等モル基準で５．０重量％の分散剤と等しい。
【表３】
2018521190.tif 000005
【０１６０】
表３に示された結果から分かるように、実施例１３及び１４の船舶用ディーゼルシリンダー潤滑油組成物は、ＭＩＰ−４８試験によって測定された％粘度増加がより低いことによって明らかなように、酸化に起因する粘度増加に対して同等か驚く程良好な安定性を示した。また、実施例１３及び１４の船舶用ディーゼルシリンダー潤滑油組成物の発泡傾向は、比較例と比較して方向的に（ｄｉｒｅｃｔｉｏｎａｌｌｙ）良好であった。特に、実施例１３は、比較例よりも少ないモル当量の分散剤で改善された発泡性能をもたらした。加えて、実施例１３及び１４の船舶用ディーゼルシリンダー潤滑油組成物は、それぞれ、比較例の船舶用ディーゼルシリンダー潤滑油組成物よりも少ないブライトストックを使用して所望の粘度を達成した。
実施例１５及び１６及び比較実施例１５から１９
【０１６１】
以下の表４に示すように、実施例１５及び１６及び比較例１５から１９の船舶用シリンダー潤滑油組成物を調製した。各船舶用シリンダー潤滑油組成物を、主要量のグループＩＩのベースストックを使用してＳＡＥ５０粘度等級油に配合した。船舶用シリンダー潤滑油組成物の各々には、同様の量で以下の添加剤：即ち、４１０ＢＮ高過塩基性アルキル芳香族カルシウムスルホナート清浄剤の油濃縮物、１９ＢＮ非過塩基性アルキル芳香族カルシウムスルホナート清浄剤の油濃縮物、第二級ジアルキルジチオリン酸亜鉛、アミン系酸化防止剤及び抑泡剤が含まれた。比較例１５は、スクシンイミド分散剤を含まず、基準油である。比較例１７、１８及び１９の分散剤の量は、等モル基準で５．０重量％の分散剤Ｄと等しい。
【表４】
2018521190.tif 000006
【０１６２】
表４に示された結果からわかるように、実施例１５及び１６の船舶用ディーゼルシリンダー潤滑油組成物は、比較例１５から１９のグループＩＩベースのシリンダー潤滑剤の船舶用ディーゼルシリンダー潤滑油組成物と比較して、ＭＩＰ−４８試験によって測定された％粘度増加がより低いことによって明らかなように、酸化に起因する粘度増加に対して同等か驚く程良好な安定性を示した。また、実施例１５及び１６の船舶用ディーゼルシリンダー潤滑油組成物の発泡傾向は、各比較例と比較して有意に改善されたか又は比較例に匹敵するかのいずれかであった。特に、実施例１５では、比較例よりも少ないモル等量の分散剤で改善された発泡特性が得られた。加えて、実施例１５及び１６の船舶用ディーゼルシリンダー潤滑油組成物は、比較例よりも少ない量のブライトストックを使用して所望の粘度を達成した。
実施例１７及び比較例２０から２３
【０１６３】
以下の表５に示すように、実施例１７及び比較例２０から２３の船舶用シリンダー潤滑油組成物を調製した。各船舶用シリンダー潤滑油組成物を、主要量のグループＩＩのベースストックを使用してＳＡＥ５０粘度等級油に配合した。船舶用シリンダー潤滑油組成物の各々には、同様の量で以下の添加剤：即ち、１１４ＢＮ硫化カルシウムアルキルフェナート清浄剤の油濃縮物、４１０ＢＮ高過塩基性アルキル芳香族カルシウムスルホナート清浄剤の油濃縮物、１９ＢＮ非過塩基性アルキル芳香族カルシウムスルホナート清浄剤の油濃縮物、アミン系酸化防止剤及び抑泡剤が更に含まれた。比較例２０は、スクシンイミド分散剤を含まず、基準油である。比較例２１、２２及び２３の分散剤の量は、等モル基準で５．０重量％の分散剤Ｄと等しい。
【表５】
2018521190.tif 000007
【０１６４】
表５に示された結果からわかるように、実施例１７の船舶用ディーゼルシリンダー潤滑油組成物は、比較例２０から２３のグループＩＩベースのシリンダー潤滑剤の船舶用ディーゼルシリンダー潤滑油組成物と比較して、ＭＩＰ−４８試験によって測定された％粘度増加がより低いことによって明らかなように、酸化に起因する粘度増加に対して驚く程良好な安定性を示した。また、実施例１７の船舶用ディーゼルシリンダー潤滑油組成物の発泡傾向は、各比較例と比較して有意に良好であった。加えて、実施例１７の船舶用ディーゼルシリンダー潤滑油組成物は、比較例の船舶用ディーゼルシリンダー潤滑油組成物よりも少ないブライトストックを使用して所望の粘度を達成した。
実施例１８及び１９及び比較実施例２４から２７
【０１６５】
以下の表６に示すように、実施例１８及び１９並びに比較例２４から２７の船舶用シリンダー潤滑油組成物を調製した。各船舶用シリンダー潤滑油組成物を、主要量のグループＩのベースストックを使用してＳＡＥ６０粘度等級油に配合した。船舶用シリンダー潤滑油組成物の各々には、同様の量で以下の添加剤：即ち、１１４ＢＮ硫化カルシウムアルキルフェナート清浄剤の油濃縮物、４１０ＢＮ高過塩基性アルキル芳香族カルシウムスルホナート清浄剤の油濃縮物、２６０ＢＮ硫化カルシウムアルキルフェナート清浄剤の油濃縮物、第二級ジアルキルジチオリン酸亜鉛及び泡抑制剤が更に含まれた。比較例２４は、スクシンイミド分散剤を含まず、基準油である。比較例２５、２６及び２７の分散剤の量は、等モル基準で５．０重量％の分散剤Ｄと等しい。
【表６】
2018521190.tif 000008
【０１６６】
表６に示された結果から分かるように、実施例１８及び１９の船舶用ディーゼルシリンダー潤滑油組成物は、比較例２４から２７のグループＩベースのシリンダー潤滑剤の船舶用ディーゼルシリンダー潤滑油組成物と比較して、ＭＩＰ−４８試験によって測定された％粘度増加がより低いことによって明らかなように、酸化に起因する粘度増加に対して驚く程良好な安定性を示した。また、実施例１８及び１９の船舶用ディーゼルシリンダー潤滑油組成物の発泡傾向は、各比較例と比較して同等か又は有意に良好であった。加えて、実施例１８及び１９の船舶用ディーゼルシリンダー潤滑油組成物は、各比較例の船舶用ディーゼルシリンダー潤滑油組成物よりも少ないブライトストックを使用して所望の粘度を達成した。
【０１６７】
種々の変更を、本明細書に開示された実施形態に対して行い得ることが理解されるであろう。従って、上記の説明は、限定的なものとしてではなく、単に好ましい実施形態の例示として解釈されるべきである。例えば、本発明を実施するための最良の形態として、上記され且つ実施された機能は、単に例示目的のためである。他の構成及び方法を、本発明の範囲及び本質から逸脱することなく当業者は実施することができる。更に、当業者は、本明細書に添付された特許請求の範囲及び本質の中で他の変更を想起するであろう。
【０１６８】
以下は、本開示の例示的な実施形態の項目リストであり、本コンセプトの全範囲を限定しない。
１．（ａ）主要量の潤滑粘度の油と、（ｂ）１種以上の非ホウ酸化ポリアルケニルビススクシンイミド分散剤とを含む船舶用ディーゼルシリンダー潤滑油組成物であって、前記ポリアルケニル置換基が約１５００から約３０００の数平均分子量を有するポリアルケン基から誘導され、更に前記船舶用ディーゼルシリンダー潤滑油組成物が約５から約１５０の全塩基価（ＴＢＮ）を有する、前記潤滑油組成物。
２．約５から約１００のＴＢＮを有する、項目１に記載の船舶用ディーゼルシリンダー潤滑油組成物。
３．前記潤滑粘度の油がグループＩのベースストックを含む、項目１に記載の船舶用ディーゼルシリンダー潤滑油組成物。
４．前記潤滑粘度の油がグループＩＩのベースストックを含む、項目１に記載の船舶用ディーゼルシリンダー潤滑油組成物。
５．前記１種以上の非ホウ酸化ポリアルケニルビススクシンイミド分散剤が、前記ポリアルケニル置換基が、約１５００から約２５００の数平均分子量を有するポリアルケン基から誘導される場合の１種以上の非ホウ酸化ポリアルケニルビススクシンイミド分散剤である、項目１に記載の船舶用ディーゼルシリンダー潤滑油組成物。
６．前記１種以上の非ホウ酸化ポリアルケニルビススクシンイミド分散剤が、前記ポリアルケニル置換基が、約１５００から約３０００の数平均分子量を有するポリブテン基から誘導される場合の１種以上の非ホウ酸化ポリアルケニルビススクシンイミド分散剤である、項目１に記載の船舶用ディーゼルシリンダー潤滑油組成物。
７．前記１種以上の非ホウ酸化ポリアルケニルビススクシンイミド分散剤が、前記ポリアルケニル置換基が、約１５００から約２５００の数平均分子量を有するポリブテン基から誘導される場合の１種以上の非ホウ酸化ポリアルケニルビススクシンイミド分散剤である、項目１に記載の船舶用ディーゼルシリンダー潤滑油組成物。
８．前記１種以上の非ホウ酸化ポリアルケニルビススクシンイミド分散剤が、前記船舶用ディーゼルシリンダー潤滑油組成物の全重量に基づいて、活性物質基準で、約０．２５から約１０重量％の量で存在する、項目１に記載の船舶用ディーゼルシリンダー潤滑油組成物。
９．前記１種以上の非ホウ酸化ポリアルケニルビススクシンイミド分散剤が、前記船舶用ディーゼルシリンダー潤滑油組成物の全重量に基づいて、活性物質基準で、約１から約５重量％の量で存在する、項目１に記載の船舶用ディーゼルシリンダー潤滑油組成物。
１０．酸化防止剤、清浄剤、防錆剤、曇り除去剤、抗乳化剤、金属不活性化剤、摩擦調整剤、流動点降下剤、消泡剤、補助溶媒、腐食防止剤、染料、極圧剤及びそれらの混合物からなる群から選択される１種以上の船舶用ディーゼルシリンダー潤滑油組成物添加剤を更に含む、項目１に記載の船舶用ディーゼルシリンダー潤滑油組成物。
１１．改善された酸化安定性を有する船舶用ディーゼルシリンダー潤滑剤組成物を用いて船舶用２ストローククロスヘッドディーゼルエンジンを潤滑する方法であって、前記方法が、（ａ）主要量の潤滑粘度の油と、（ｂ）１種以上の非ホウ酸化ポリアルケニルビススクシンイミド分散剤とを含む船舶用ディーゼルシリンダー潤滑油組成物であって、前記ポリアルケニル置換基が約１５００から約３０００の数平均分子量を有するポリアルケン基から誘導され、更に前記船舶用ディーゼルシリンダー潤滑油組成物が約５から約１５０の全塩基価（ＴＢＮ）を有する、前記潤滑油組成物を用いてエンジンを動作させることを含む方法。
１２．前記船舶用ディーゼルシリンダー潤滑油組成物が約５から約１００のＴＢＮを有する、項目１１に記載の方法。
１３．前記潤滑粘度の油が、グループＩのベースストック又はグループＩＩのベースストックを含む、項目１１に記載の方法。
１４．前記１種以上の非ホウ酸化ポリアルケニルビススクシンイミド分散剤が、前記ポリアルケニル置換基が約１５００から約２５００の数平均分子量を有するポリアルケン基から誘導される場合の１種以上の非ホウ酸化ポリアルケニルビススクシンイミド分散剤である、項目１１に記載の方法。
１５．前記１種以上の非ホウ酸化ポリアルケニルビススクシンイミド分散剤が、前記ポリアルケニル置換基が約１５００から約３０００の数平均分子量を有するポリブテン基から誘導される場合の１種以上の非ホウ酸化ポリアルケニルビススクシンイミド分散剤である、項目１１に記載の方法。
１６．前記１種以上の非ホウ酸化ポリアルケニルビススクシンイミド分散剤が、前記ポリアルケニル置換基が約１５００から約２５００の数平均分子量を有するポリブテン基から誘導される場合の１種以上の非ホウ酸化ポリアルケニルビススクシンイミド分散剤である、項目１１に記載の方法。
１７．前記１種以上の非ホウ酸化ポリアルケニルビススクシンイミド分散剤が、前記船舶用ディーゼルシリンダー潤滑油組成物の全重量に基づいて、活性物質基準で、約０．２５から約１０重量％の量で存在する、項目１１に記載の方法。
１８．前記１種以上の非ホウ酸化ポリアルケニルビススクシンイミド分散剤が、前記船舶用ディーゼルシリンダー潤滑油組成物の全重量に基づいて、活性物質基準で、約１から約５重量％の量で存在する、項目１１に記載の方法。
１９．前記船舶用ディーゼルシリンダー潤滑油組成物が、酸化防止剤、清浄剤、防錆剤、曇り除去剤、抗乳化剤、金属不活性化剤、摩擦調整剤、流動点降下剤、消泡剤、補助溶媒、腐食防止剤、染料、極圧剤及びそれらの混合物からなる群から選択される１種以上の船舶用ディーゼルシリンダー潤滑油組成物添加剤を更に含む、項目１１に記載の方法。
２０．（ａ）主要量の潤滑粘度の油と、（ｂ）１種以上の環式カーボナート後処理ポリアルケニルビススクシンイミド分散剤とを含む船舶用ディーゼルシリンダー潤滑油組成物であって、前記船舶用ディーゼルシリンダー潤滑油組成物が約５から約１５０の全塩基価（ＴＢＮ）を有する、前記潤滑油組成物。
２１．約５から約１００のＴＢＮを有する、項目２０に記載の船舶用ディーゼルシリンダー潤滑油組成物。
２２．前記潤滑粘度の油がグループＩのベースストックを含む、項目２０に記載の船舶用ディーゼルシリンダー潤滑油組成物。
２３．前記潤滑粘度の油がグループＩＩのベースストックを含む、項目２０に記載の船舶用ディーゼルシリンダー潤滑油組成物。
２４．前記１種以上の環式カーボナート後処理ポリアルケニルビススクシンイミド分散剤が、前記ポリアルケニル置換基が約５００から約５０００の数平均分子量を有するポリアルケニル基から誘導される場合の１種以上の環式カーボナート後処理ポリアルケニルビススクシンイミド分散剤である、項目２０に記載の船舶用ディーゼルシリンダー潤滑油組成物。
２５．前記１種以上の環式カーボナート後処理ポリアルケニルビススクシンイミド分散剤が、前記ポリアルケニル置換基が約７００から約３０００の数平均分子量を有するポリアルケニル基から誘導される場合の１種以上の環式カーボナート後処理ポリアルケニルビススクシンイミド分散剤である、項目２０に記載の船舶用ディーゼルシリンダー潤滑油組成物。
２６．前記１種以上の環式カーボナート後処理ポリアルケニルビススクシンイミド分散剤が、前記ポリアルケニル置換基が約５００から約５０００の数平均分子量を有するポリブテン基から誘導される場合の１種以上のエチレンカーボナート後処理ポリアルケニルビススクシンイミド分散剤である、項目２０に記載の船舶用ディーゼルシリンダー潤滑油組成物。
２７．前記１種以上の環式カーボナート後処理ポリアルケニルビススクシンイミド分散剤が、前記ポリアルケニル置換基が約７００から約３０００の数平均分子量を有するポリブテン基から誘導される場合の１種以上のエチレンカーボナート後処理ポリアルケニルビススクシンイミド分散剤である、項目２０に記載の船舶用ディーゼルシリンダー潤滑油組成物。
２８．前記１種以上の環式カーボナート後処理ポリアルケニルビススクシンイミド分散剤が、前記船舶用ディーゼルシリンダー潤滑油組成物の全重量に基づいて、活性物質基準で、約０．２５から約１０重量％の量で存在する、項目２０に記載の船舶用ディーゼルシリンダー潤滑油組成物。
２９．前記１種以上の環式カーボナート後処理ポリアルケニルビススクシンイミド分散剤が、前記船舶用ディーゼルシリンダー潤滑油組成物の全重量に基づいて、活性物質基準で、約１から約５重量％の量で存在する、項目２０に記載の船舶用ディーゼルシリンダー潤滑油組成物。
３０．酸化防止剤、清浄剤、防錆剤、曇り除去剤、抗乳化剤、金属不活性化剤、摩擦調整剤、流動点降下剤、消泡剤、補助溶媒、腐食防止剤、染料、極圧剤及びそれらの混合物からなる群から選択される１種以上の船舶用ディーゼルシリンダー潤滑油組成物添加剤を更に含む、項目２０に記載の船舶用ディーゼルシリンダー潤滑油組成物。
３１．船舶用２ストローククロスヘッドディーゼルエンジンを、改善された酸化安定性を有する船舶用ディーゼルシリンダー潤滑剤組成物を用いて潤滑する方法であって、前記方法が、前記エンジンを、（ａ）主要量の潤滑粘度の油と、（ｂ）１種以上の環式カーボナート後処理ポリアルケニルビススクシンイミド分散剤とを含む船舶用ディーゼルシリンダー潤滑油組成物であって、前記船舶用ディーゼルシリンダー潤滑油組成物が約５から約１５０の全塩基価（ＴＢＮ）を有する、前記潤滑油組成物を用いて動作させることを含む、前記方法。
３２．前記船舶用ディーゼルシリンダー潤滑油組成物が、約５から約１００のＴＢＮを有する、項目３１に記載の方法。
３３．前記潤滑粘度の油がグループＩのベースストック又はグループＩＩのベースストックを含む、項目３１に記載の方法。
３４．前記１種以上の環式カーボナート後処理ポリアルケニルビススクシンイミド分散剤が、前記ポリアルケニル置換基が約５００から約５０００の数平均分子量を有するポリアルケン基から誘導される場合の１種以上の環式カーボナート後処理ポリアルケニルビススクシンイミド分散剤である、項目３１に記載の方法。
３５．前記１つ以上の環式カーボナート後処理ポリアルケニルビススクシンイミド分散剤が、前記ポリアルケニル置換基が約７００から約３０００の数平均分子量を有するポリアルケン基から誘導される場合の１種以上の環式カーボナート後処理ポリアルケニルビススクシンイミド分散剤である、項目３１に記載の方法。
３６．前記１つ以上の環式カーボナート後処理ポリアルケニルビススクシンイミド分散剤が、前記ポリアルケニル置換基が約５００から約５０００の数平均分子量を有するポリブテン基から誘導される場合の１種以上のエチレンカーボナート後処理ポリアルケニルビススクシンイミド分散剤である、項目３１に記載の方法。
３７．前記１つ以上の環式カーボナート後処理ポリアルケニルビススクシンイミド分散剤が、前記ポリアルケニル置換基が約７００から約３０００の数平均分子量を有するポリブテン基から誘導される場合の、１種以上のエチレンカーボナート後処理ポリアルケニルビススクシンイミド分散剤である、項目３１に記載の方法。
３８．前記１つ以上の環式カーボナート後処理ポリアルケニルビススクシンイミド分散剤が、前記船舶用ディーゼルシリンダー潤滑油組成物の全重量に基づいて、活性物質基準で、約０．２５から約１０重量％の量で存在する、項目３１に記載の方法。
３９．前記１種以上の環式カーボナート後処理ポリアルケニルビススクシンイミド分散剤が、前記船舶用ディーゼルシリンダー潤滑油組成物の全重量に基づいて、活性物質基準で、約１から約５重量％の量で存在する、項目３１に記載の方法。
４０．前記船舶用ディーゼルシリンダー潤滑油組成物が、酸化防止剤、清浄剤、防錆剤、曇り除去剤、抗乳化剤、金属不活性化剤、摩擦調整剤、流動点降下剤、消泡剤、補助溶媒、腐食防止剤、染料、極圧剤及びそれらの混合物からなる群から選択される１種以上の船舶用ディーゼルシリンダー潤滑油組成物添加剤を更に含む、項目３１に記載の方法。
４１．船舶用ディーゼルシリンダー潤滑油組成物であって、（ａ）主要量の潤滑粘度のグループＩのベースストック油と、（ｂ）前記船舶用ディーゼルシリンダー潤滑油組成物の全重量に基づいて、活性物質基準で、約１．５から約８．０重量％の量で存在する非ホウ酸化ポリアルケニルビススクシンイミド分散剤とを含み、前記ポリアルケニル置換基が、約１５００から約３０００の数平均分子量を有するポリアルケン基から誘導され、更に、前記船舶用ディーゼルシリンダー潤滑油組成物が約５から約３０の全塩基価（ＴＢＮ）を有する、前記潤滑油組成物。
４２．前記数平均分子量が約１５００から約２５００である、項目４１に記載の船舶用ディーゼルシリンダー潤滑油組成物。
４３．前記ポリアルキレン基がポリブテン基である、項目４１に記載の船舶用ディーゼルシリンダー潤滑油組成物。
４４．酸化防止剤、清浄剤、防錆剤、曇り除去剤、抗乳化剤、金属不活性化剤、摩擦調整剤、流動点降下剤、消泡剤、補助溶媒、腐食防止剤、染料、極圧剤、増粘剤及びそれらの混合物からなる群から選択される１種以上の船舶用ディーゼルシリンダー潤滑油組成物添加剤を更に含む、項目４１に記載の船舶用ディーゼルシリンダー潤滑油組成物。
４５．前記非ホウ酸化ポリアルケニルビススクシンイミド分散剤が、環式カーボナート後処理ポリアルケニルビススクシンイミド分散剤である、項目４１に記載の船舶用ディーゼルシリンダー潤滑油組成物。
４６．船舶用ディーゼルシリンダー潤滑油組成物であって、（ａ）主要量の潤滑粘度のグループＩのベースストック油と、（ｂ）前記船舶用ディーゼルシリンダー潤滑油組成物の全重量に基づいて、活性物質基準で、約１．０から約５．０重量％の量で存在する非ホウ酸化ポリアルケニルビススクシンイミド分散剤とを含み、前記ポリアルケニル置換基が、約１５００から約３０００の数平均分子量を有するポリアルケン基から誘導され、更に、前記船舶用ディーゼルシリンダー潤滑油組成物が約３０超過の全塩基価（ＴＢＮ）を有する、前記潤滑油組成物。
４７．前記数平均分子量が約１５００から約２５００である、項目４６に記載の船舶用ディーゼルシリンダー潤滑油組成物。
４８．前記ポリアルキレン基がポリブテン基である、項目４６に記載の船舶用ディーゼルシリンダー潤滑油組成物。
４９．酸化防止剤、清浄剤、防錆剤、曇り除去剤、抗乳化剤、金属不活性化剤、摩擦調整剤、流動点降下剤、消泡剤、補助溶媒、腐食防止剤、染料、極圧剤、増粘剤及びそれらの混合物からなる群から選択される１種以上の船舶用ディーゼルシリンダー潤滑油組成物添加剤を更に含む、項目４６に記載の船舶用ディーゼルシリンダー潤滑油組成物。
５０．前記非ホウ酸化ポリアルケニルビススクシンイミド分散剤が環式カーボナート後処理ポリアルケニルビススクシンイミド分散剤である、項目４６に記載の船舶用ディーゼルシリンダー潤滑油組成物。
５１．船舶用ディーゼルシリンダー潤滑油組成物であって、（ａ）主要量の潤滑粘度のグループＩＩのベースストック油と、（ｂ）前記船舶用ディーゼルシリンダー潤滑油組成物の全重量に基づいて、活性物質基準で、約１．５から約８．０重量％の量で存在する非ホウ酸化ポリアルケニルビススクシンイミド分散剤とを含み、前記ポリアルケニル置換基が、約１５００から約３０００の数平均分子量を有するポリアルケン基から誘導され、更に、前記船舶用ディーゼルシリンダー潤滑油組成物が約５から約２０の全塩基価（ＴＢＮ）を有する、前記潤滑油組成物。
５２．前記数平均分子量が約１５００から約２５００である、項目５１に記載の船舶用ディーゼルシリンダー潤滑油組成物。
５３．前記ポリアルキレン基がポリブテン基である、項目５１に記載の船舶用ディーゼルシリンダー潤滑油組成物。
５４．酸化防止剤、清浄剤、防錆剤、曇り除去剤、抗乳化剤、金属不活性化剤、摩擦調整剤、流動点降下剤、消泡剤、補助溶媒、腐食防止剤、染料、極圧剤、増粘剤及びそれらの混合物からなる群から選択される１種以上の船舶用ディーゼルシリンダー潤滑油組成物添加剤を更に含む、項目５１に記載の船舶用ディーゼルシリンダー潤滑油組成物。
５５．前記非ホウ酸化ポリアルケニルビススクシンイミド分散剤が環式カーボナート後処理ポリアルケニルビススクシンイミド分散剤である、項目５１に記載の船舶用ディーゼルシリンダー潤滑油組成物。
５６．船舶用ディーゼルシリンダー潤滑油組成物であって、（ａ）主要量の潤滑粘度のグループＩＩのベースストック油と、（ｂ）前記船舶用ディーゼルシリンダー潤滑油組成物の全重量に基づいて、活性物質基準で、約１．０から約５．０重量％の量で存在する非ホウ酸化ポリアルケニルビススクシンイミド分散剤とを含み、前記ポリアルケニル置換基が、約１５００から約３０００の数平均分子量を有するポリアルケン基から誘導され、更に、前記船舶用ディーゼルシリンダー潤滑油組成物が約２０超過の全塩基価（ＴＢＮ）を有する、前記潤滑油組成物。
５７．前記数平均分子量が約１５００から約２５００である、項目５６に記載の船舶用ディーゼルシリンダー潤滑油組成物。
５８．前記ポリアルキレン基がポリブテン基である、項目５６に記載の船舶用ディーゼルシリンダー潤滑油組成物。
５９．酸化防止剤、清浄剤、防錆剤、曇り除去剤、抗乳化剤、金属不活性化剤、摩擦調整剤、流動点降下剤、消泡剤、補助溶媒、腐食防止剤、染料、極圧剤、増粘剤及びそれらの混合物からなる群から選択される１種以上の船舶用ディーゼルシリンダー潤滑油組成物添加剤を更に含む、項目５６に記載の船舶用ディーゼルシリンダー潤滑油組成物。
６０．前記ポリアルケニルビススクシンイミド分散剤が、環式カーボナート後処理ポリアルケニルビススクシンイミド分散剤である、項目５６に記載の船舶用ディーゼルシリンダー潤滑油組成物。
６１．２ストローククロスヘッドディーゼルエンジンにおける項目４１から６０のいずれか１つに記載の船舶用ディーゼルシリンダー潤滑油組成物の使用。
６２．活性物質基準で、少なくとも１．０重量％の、船舶用ディーゼルシリンダー潤滑油組成物用の油増粘剤としての環式カーボナート後処理ポリアルケニルビススクシンイミド分散剤の使用。
【国際調査報告】
2018521190.tif 000009
2018521190.tif 000010
2018521190.tif 000011